(57)【特許請求の範囲】
【請求項１】
無線端末装置が移動動作を行なうことにより複数の無線基地局装置と通信可能な通信システムにおいて、無線端末装置との間で無線信号を送受信するための無線基地局装置であって、
無線端末装置による他の無線基地局装置から自己の無線基地局装置への移動動作のうち、所定移動動作の発生を検知するための移動動作検知部と、
前記移動動作検知部によって前記所定移動動作が検知された場合には、前記所定移動動作の発生が抑制されるように、自己の無線基地局装置の動作を調整するための回避処理部とを備え、
前記回避処理部は、自己の無線基地局装置の動作を調整することにより、前記他の無線基地局装置から自己の無線基地局装置への移動動作のタイミングを調整し、
前記回避処理部は、無線端末装置による前記他の無線基地局装置から自己の無線基地局装置への移動動作を許可する旨を前記他の無線基地局装置に通知するタイミングを調整し、
前記移動動作検知部は、無線端末装置による他の無線基地局装置から自己の無線基地局装置への移動動作が早すぎる第１の移動動作、および遅すぎる第２の移動動作を検知し、
前記回避処理部は、前記第１の移動動作が検知された場合には前記許可の通知のタイミングを遅くし、前記第２の移動動作が検知された場合には前記許可の通知のタイミングを早くする、無線基地局装置。
【請求項２】
無線端末装置が移動動作を行なうことにより複数の無線基地局装置と通信可能な通信システムにおいて、無線端末装置との間で無線信号を送受信するための無線基地局装置であって、
無線端末装置による他の無線基地局装置から自己の無線基地局装置への移動動作のうち、所定移動動作の発生を検知するための移動動作検知部と、
前記移動動作検知部によって前記所定移動動作が検知された場合には、前記所定移動動作の発生が抑制されるように、自己の無線基地局装置の動作を調整するための回避処理部とを備え、
前記回避処理部は、無線端末装置による前記他の無線基地局装置から自己の無線基地局装置への移動動作を許可する条件を調整し、
前記無線基地局装置は、さらに、
無線端末装置における各無線基地局装置からの無線信号の受信電力の測定結果を示す受信電力情報を取得するための受信電力情報取得部を備え、
前記回避処理部は、前記受信電力情報が示す前記他の無線基地局装置からの無線信号の受信電力および自己の無線基地局装置からの無線信号の受信電力に基づいて前記条件を調整し、
前記移動動作検知部は、無線端末装置による他の無線基地局装置から自己の無線基地局装置への移動動作が早すぎる第１の移動動作、および遅すぎる第２の移動動作を検知し、
前記回避処理部は、前記他の無線基地局装置からの無線信号の受信電力および自己の無線基地局装置からの無線信号の受信電力の差が所定のしきい値未満の場合、または前記他の無線基地局装置からの無線信号の受信電力および自己の無線基地局装置からの無線信号の受信電力に基づく前記他の無線基地局装置の受信品質が悪い場合に、無線端末装置による前記他の無線基地局装置から自己の無線基地局装置への移動動作を許可し、
前記回避処理部は、前記第１の移動動作が検知された場合には前記しきい値を小さくし、前記第２の移動動作が検知された場合には前記しきい値を大きくする、無線基地局装置。
【請求項３】
無線端末装置が移動動作を行なうことにより複数の無線基地局装置と通信可能な通信システムにおいて、無線端末装置との間で無線信号を送受信するための無線基地局装置であって、
無線端末装置による他の無線基地局装置から自己の無線基地局装置への移動動作のうち、所定移動動作の発生を検知するための移動動作検知部と、
前記移動動作検知部によって前記所定移動動作が検知された場合には、前記所定移動動作の発生が抑制されるように、自己の無線基地局装置の動作を調整するための回避処理部とを備え、
前記回避処理部は、自己の無線基地局装置から無線端末装置への無線信号の送信動作を調整し、
前記回避処理部は、自己の無線基地局装置から無線端末装置への無線信号の送信電力を調整し、
前記移動動作検知部は、無線端末装置による他の無線基地局装置から自己の無線基地局装置への移動動作が早すぎる第１の移動動作、および遅すぎる第２の移動動作を検知し、
前記回避処理部は、前記第１の移動動作が検知された場合には前記送信電力を大きくし、前記第２の移動動作が検知された場合には前記送信電力を小さくする、無線基地局装置。
【請求項４】
無線端末装置が移動動作を行なうことにより複数の無線基地局装置と通信可能な通信システムにおいて、無線端末装置との間で無線信号を送受信するための無線基地局装置であって、
無線端末装置による他の無線基地局装置から自己の無線基地局装置への移動動作のうち、所定移動動作の発生を検知するための移動動作検知部と、
前記移動動作検知部によって前記所定移動動作が検知された場合には、前記所定移動動作の発生が抑制されるように、自己の無線基地局装置の動作を調整するための回避処理部とを備え、
前記回避処理部は、自己の無線基地局装置から無線端末装置への無線信号の送信動作を調整し、
前記回避処理部は、自己の無線基地局装置から無線端末装置への無線信号の送信に関するリソースを調整し、
前記移動動作検知部は、無線端末装置による他の無線基地局装置から自己の無線基地局装置への移動動作が早すぎる第１の移動動作、および遅すぎる第２の移動動作を検知し、
前記回避処理部は、前記第１の移動動作が検知された場合には、前記無線信号に含める所定情報、前記無線信号の周波数および前記無線信号の電力のうち、少なくともいずれか１つが制限される期間を減少させ、前記第２の移動動作が検知された場合には前記期間を増加させる、無線基地局装置。
【請求項５】
無線端末装置が移動動作を行なうことにより複数の無線基地局装置と通信可能な通信システムにおいて、無線端末装置との間で無線信号を送受信するための無線基地局装置であって、
無線端末装置による他の無線基地局装置から自己の無線基地局装置への移動動作のうち、所定移動動作の発生を検知するための移動動作検知部と、
前記移動動作検知部によって前記所定移動動作が検知された場合には、前記所定移動動作の発生が抑制されるように、自己の無線基地局装置の動作を調整するための回避処理部とを備え、
前記回避処理部は、自己の無線基地局装置から無線端末装置への無線信号の送信動作を調整し、
前記回避処理部は、自己の無線基地局装置から無線端末装置への無線信号の送信に関するリソースを調整し、
前記移動動作検知部は、無線端末装置による他の無線基地局装置から自己の無線基地局装置への移動動作が早すぎる第１の移動動作、および遅すぎる第２の移動動作を検知し、
前記リソースは、前記無線信号の送信に使用する周波数であり、
前記回避処理部は、前記第１の移動動作が検知された場合には前記周波数の種類を減少させ、前記第２の移動動作が検知された場合には前記周波数の種類を増加させる、無線基地局装置。
【請求項６】
無線端末装置が移動動作を行なうことにより複数の無線基地局装置と通信可能な通信システムにおいて、無線端末装置との間で無線信号を送受信するための無線基地局装置であって、
無線端末装置による他の無線基地局装置から自己の無線基地局装置への移動動作のうち、所定移動動作の発生を検知するための移動動作検知部と、
前記移動動作検知部によって前記所定移動動作が検知された場合には、前記所定移動動作の発生が抑制されるように、自己の無線基地局装置の動作を調整するための回避処理部とを備え、
前記回避処理部は、自己の無線基地局装置から無線端末装置への無線信号の送信動作を調整し、
前記回避処理部は、自己の無線基地局装置から無線端末装置へ無線信号を送信するためのアンテナの指向性を調整し、
前記移動動作検知部は、無線端末装置による他の無線基地局装置から自己の無線基地局装置への移動動作が早すぎる第１の移動動作、および遅すぎる第２の移動動作を検知し、
前記回避処理部は、前記第１の移動動作が検知された場合には、前記アンテナの指向性を調整することにより前記他の無線基地局装置への方向の送信電波のビームの強度を大きくし、前記第２の移動動作が検知された場合には、前記アンテナの指向性を調整することにより前記他の無線基地局装置への方向の送信電波のビームの強度を小さくする、無線基地局装置。
【請求項７】
前記無線基地局装置は、さらに、
前記無線端末装置における自己の無線基地局装置からの無線信号の受信品質である第１の受信品質を示す受信品質情報を取得するための受信品質情報取得部を備え、
前記移動動作検知部は、無線端末装置による他の無線基地局装置から自己の無線基地局装置への移動動作が行われてから最初にまたは所定時間内に取得された前記受信品質情報の示す前記第１の受信品質が悪い場合には、前記無線端末装置による前記他の無線基地局装置から自己の無線基地局装置への移動動作のタイミングが早すぎる所定移動動作が発生したと判断する、請求項１から請求項６のいずれか１項に記載の無線基地局装置。
【請求項８】
前記受信品質情報取得部は、さらに、前記無線端末装置における前記他の無線基地局装置からの無線信号の受信品質である第２の受信品質を示す受信品質情報を取得し、
前記移動動作検知部は、無線端末装置による他の無線基地局装置から自己の無線基地局装置への移動動作が行われてから最初にまたは所定時間内に取得された前記受信品質情報の示す前記第１の受信品質が悪く、かつ前記第２の受信品質が良い場合には、前記無線端末装置による前記他の無線基地局装置から自己の無線基地局装置への移動動作のタイミングが早すぎる所定移動動作が発生したと判断する、請求項７に記載の無線基地局装置。
【請求項９】
前記無線基地局装置は、さらに、
無線端末装置からの所定情報の到着を予定し、前記所定情報の到着を監視するための監視部と、
前記無線端末装置による他の無線基地局装置から自己の無線基地局装置への移動動作が行なわれてから、前記無線端末装置からの前記所定情報が前記監視部の予定に反して自己の無線基地局装置に到着しなくなるまでの時間を計測するための時間計測部とを備え、
前記移動動作検知部は、前記時間計測部によって計測された前記時間が所定値未満の場合には、前記無線端末装置による前記他の無線基地局装置から自己の無線基地局装置への移動動作のタイミングが早すぎる所定移動動作が発生したと判断する、請求項１から請求項６のいずれか１項に記載の無線基地局装置。
【請求項１０】
無線端末装置が移動動作を行なうことにより複数の無線基地局装置と通信可能な通信システムにおいて、無線端末装置との間で無線信号を送受信するための無線基地局装置における通信制御方法であって、
無線端末装置による他の無線基地局装置から自己の無線基地局装置への移動動作のうち、所定移動動作の発生を検知するステップと、
前記所定移動動作を検知した場合には、前記所定移動動作の発生が抑制されるように、自己の無線基地局装置の動作を調整するステップとを含み、
前記動作を調整するステップにおいては、自己の無線基地局装置の動作を調整することにより、前記他の無線基地局装置から自己の無線基地局装置への移動動作のタイミングを調整し、
前記動作を調整するステップにおいては、無線端末装置による前記他の無線基地局装置から自己の無線基地局装置への移動動作を許可する旨を前記他の無線基地局装置に通知するタイミングを調整し、
前記所定移動動作の発生を検知するステップにおいては、無線端末装置による他の無線基地局装置から自己の無線基地局装置への移動動作が早すぎる第１の移動動作、および遅すぎる第２の移動動作を検知し、
前記動作を調整するステップにおいては、前記第１の移動動作が検知された場合には前記許可の通知のタイミングを遅くし、前記第２の移動動作が検知された場合には前記許可の通知のタイミングを早くする、通信制御方法。
【請求項１１】
無線端末装置が移動動作を行なうことにより複数の無線基地局装置と通信可能な通信システムにおいて、無線端末装置との間で無線信号を送受信するための無線基地局装置における通信制御方法であって、
無線端末装置による他の無線基地局装置から自己の無線基地局装置への移動動作のうち、所定移動動作の発生を検知するステップと、
前記所定移動動作を検知した場合には、前記所定移動動作の発生が抑制されるように、自己の無線基地局装置の動作を調整するステップとを含み、
前記動作を調整するステップにおいては、無線端末装置による前記他の無線基地局装置から自己の無線基地局装置への移動動作を許可する条件を調整し、
前記通信制御方法は、さらに、
無線端末装置における各無線基地局装置からの無線信号の受信電力の測定結果を示す受信電力情報を取得するステップを含み、
前記動作を調整するステップにおいては、前記受信電力情報が示す前記他の無線基地局装置からの無線信号の受信電力および自己の無線基地局装置からの無線信号の受信電力に基づいて前記条件を調整し、
前記所定移動動作の発生を検知するステップにおいては、無線端末装置による他の無線基地局装置から自己の無線基地局装置への移動動作が早すぎる第１の移動動作、および遅すぎる第２の移動動作を検知し、
前記動作を調整するステップにおいては、前記他の無線基地局装置からの無線信号の受信電力および自己の無線基地局装置からの無線信号の受信電力の差が所定のしきい値未満の場合、または前記他の無線基地局装置からの無線信号の受信電力および自己の無線基地局装置からの無線信号の受信電力に基づく前記他の無線基地局装置の受信品質が悪い場合に、無線端末装置による前記他の無線基地局装置から自己の無線基地局装置への移動動作を許可し、
前記動作を調整するステップにおいては、前記第１の移動動作が検知された場合には前記しきい値を小さくし、前記第２の移動動作が検知された場合には前記しきい値を大きくする、通信制御方法。
【請求項１２】
無線端末装置が移動動作を行なうことにより複数の無線基地局装置と通信可能な通信システムにおいて、無線端末装置との間で無線信号を送受信するための無線基地局装置における通信制御方法であって、
無線端末装置による他の無線基地局装置から自己の無線基地局装置への移動動作のうち、所定移動動作の発生を検知するステップと、
前記所定移動動作を検知した場合には、前記所定移動動作の発生が抑制されるように、自己の無線基地局装置の動作を調整するステップとを含み、
前記動作を調整するステップにおいては、自己の無線基地局装置から無線端末装置への無線信号の送信動作を調整し、
前記動作を調整するステップにおいては、自己の無線基地局装置から無線端末装置への無線信号の送信電力を調整し、
前記所定移動動作の発生を検知するステップにおいては、無線端末装置による他の無線基地局装置から自己の無線基地局装置への移動動作が早すぎる第１の移動動作、および遅すぎる第２の移動動作を検知し、
前記動作を調整するステップにおいては、前記第１の移動動作が検知された場合には前記送信電力を大きくし、前記第２の移動動作が検知された場合には前記送信電力を小さくする、通信制御方法。
【請求項１３】
無線端末装置が移動動作を行なうことにより複数の無線基地局装置と通信可能な通信システムにおいて、無線端末装置との間で無線信号を送受信するための無線基地局装置における通信制御方法であって、
無線端末装置による他の無線基地局装置から自己の無線基地局装置への移動動作のうち、所定移動動作の発生を検知するステップと、
前記所定移動動作を検知した場合には、前記所定移動動作の発生が抑制されるように、自己の無線基地局装置の動作を調整するステップとを含み、
前記動作を調整するステップにおいては、自己の無線基地局装置から無線端末装置への無線信号の送信動作を調整し、
前記動作を調整するステップにおいては、自己の無線基地局装置から無線端末装置への無線信号の送信に関するリソースを調整し、
前記所定移動動作の発生を検知するステップにおいては、無線端末装置による他の無線基地局装置から自己の無線基地局装置への移動動作が早すぎる第１の移動動作、および遅すぎる第２の移動動作を検知し、
前記動作を調整するステップにおいては、前記第１の移動動作が検知された場合には、前記無線信号に含める所定情報、前記無線信号の周波数および前記無線信号の電力のうち、少なくともいずれか１つが制限される期間を減少させ、前記第２の移動動作が検知された場合には前記期間を増加させる、通信制御方法。
【請求項１４】
無線端末装置が移動動作を行なうことにより複数の無線基地局装置と通信可能な通信システムにおいて、無線端末装置との間で無線信号を送受信するための無線基地局装置における通信制御方法であって、
無線端末装置による他の無線基地局装置から自己の無線基地局装置への移動動作のうち、所定移動動作の発生を検知するステップと、
前記所定移動動作を検知した場合には、前記所定移動動作の発生が抑制されるように、自己の無線基地局装置の動作を調整するステップとを含み、
前記動作を調整するステップにおいては、自己の無線基地局装置から無線端末装置への無線信号の送信動作を調整し、
前記動作を調整するステップにおいては、自己の無線基地局装置から無線端末装置への無線信号の送信に関するリソースを調整し、
前記所定移動動作の発生を検知するステップにおいては、無線端末装置による他の無線基地局装置から自己の無線基地局装置への移動動作が早すぎる第１の移動動作、および遅すぎる第２の移動動作を検知し、
前記リソースは、前記無線信号の送信に使用する周波数であり、
前記動作を調整するステップにおいては、前記第１の移動動作が検知された場合には前記周波数の種類を減少させ、前記第２の移動動作が検知された場合には前記周波数の種類を増加させる、通信制御方法。
【請求項１５】
無線端末装置が移動動作を行なうことにより複数の無線基地局装置と通信可能な通信システムにおいて、無線端末装置との間で無線信号を送受信するための無線基地局装置における通信制御方法であって、
無線端末装置による他の無線基地局装置から自己の無線基地局装置への移動動作のうち、所定移動動作の発生を検知するステップと、
前記所定移動動作を検知した場合には、前記所定移動動作の発生が抑制されるように、自己の無線基地局装置の動作を調整するステップとを含み、
前記動作を調整するステップにおいては、自己の無線基地局装置から無線端末装置への無線信号の送信動作を調整し、
前記動作を調整するステップにおいては、自己の無線基地局装置から無線端末装置へ無線信号を送信するためのアンテナの指向性を調整し、
前記所定移動動作の発生を検知するステップにおいては、無線端末装置による他の無線基地局装置から自己の無線基地局装置への移動動作が早すぎる第１の移動動作、および遅すぎる第２の移動動作を検知し、
前記動作を調整するステップにおいては、前記第１の移動動作が検知された場合には、前記アンテナの指向性を調整することにより前記他の無線基地局装置への方向の送信電波のビームの強度を大きくし、前記第２の移動動作が検知された場合には、前記アンテナの指向性を調整することにより前記他の無線基地局装置への方向の送信電波のビームの強度を小さくする、通信制御方法。
【請求項１６】
無線端末装置が移動動作を行なうことにより複数の無線基地局装置と通信可能な通信システムにおいて、無線端末装置との間で無線信号を送受信するための無線基地局装置において用いられる通信制御プログラムであって、コンピュータに、
無線端末装置による他の無線基地局装置から自己の無線基地局装置への移動動作のうち、所定移動動作の発生を検知するステップと、
前記所定移動動作を検知した場合には、前記所定移動動作の発生が抑制されるように、自己の無線基地局装置の動作を調整するステップとを実行させるためのプログラムであり、
前記動作を調整するステップにおいては、自己の無線基地局装置の動作を調整することにより、前記他の無線基地局装置から自己の無線基地局装置への移動動作のタイミングを調整し、
前記動作を調整するステップにおいては、無線端末装置による前記他の無線基地局装置から自己の無線基地局装置への移動動作を許可する旨を前記他の無線基地局装置に通知するタイミングを調整し、
前記所定移動動作の発生を検知するステップにおいては、無線端末装置による他の無線基地局装置から自己の無線基地局装置への移動動作が早すぎる第１の移動動作、および遅すぎる第２の移動動作を検知し、
前記動作を調整するステップにおいては、前記第１の移動動作が検知された場合には前記許可の通知のタイミングを遅くし、前記第２の移動動作が検知された場合には前記許可の通知のタイミングを早くする、通信制御プログラム。
【請求項１７】
無線端末装置が移動動作を行なうことにより複数の無線基地局装置と通信可能な通信システムにおいて、無線端末装置との間で無線信号を送受信するための無線基地局装置において用いられる通信制御プログラムであって、コンピュータに、
無線端末装置による他の無線基地局装置から自己の無線基地局装置への移動動作のうち、所定移動動作の発生を検知するステップと、
前記所定移動動作を検知した場合には、前記所定移動動作の発生が抑制されるように、自己の無線基地局装置の動作を調整するステップとを実行させるためのプログラムであり、
前記動作を調整するステップにおいては、無線端末装置による前記他の無線基地局装置から自己の無線基地局装置への移動動作を許可する条件を調整し、
前記通信制御プログラムは、さらに、コンピュータに、
無線端末装置における各無線基地局装置からの無線信号の受信電力の測定結果を示す受信電力情報を取得するステップを実行させるためのプログラムであり、
前記動作を調整するステップにおいては、前記受信電力情報が示す前記他の無線基地局装置からの無線信号の受信電力および自己の無線基地局装置からの無線信号の受信電力に基づいて前記条件を調整し、
前記所定移動動作の発生を検知するステップにおいては、無線端末装置による他の無線基地局装置から自己の無線基地局装置への移動動作が早すぎる第１の移動動作、および遅すぎる第２の移動動作を検知し、
前記動作を調整するステップにおいては、前記他の無線基地局装置からの無線信号の受信電力および自己の無線基地局装置からの無線信号の受信電力の差が所定のしきい値未満の場合、または前記他の無線基地局装置からの無線信号の受信電力および自己の無線基地局装置からの無線信号の受信電力に基づく前記他の無線基地局装置の受信品質が悪い場合に、無線端末装置による前記他の無線基地局装置から自己の無線基地局装置への移動動作を許可し、
前記動作を調整するステップにおいては、前記第１の移動動作が検知された場合には前記しきい値を小さくし、前記第２の移動動作が検知された場合には前記しきい値を大きくする、通信制御プログラム。
【請求項１８】
無線端末装置が移動動作を行なうことにより複数の無線基地局装置と通信可能な通信システムにおいて、無線端末装置との間で無線信号を送受信するための無線基地局装置において用いられる通信制御プログラムであって、コンピュータに、
無線端末装置による他の無線基地局装置から自己の無線基地局装置への移動動作のうち、所定移動動作の発生を検知するステップと、
前記所定移動動作を検知した場合には、前記所定移動動作の発生が抑制されるように、自己の無線基地局装置の動作を調整するステップとを実行させるためのプログラムであり、
前記動作を調整するステップにおいては、自己の無線基地局装置から無線端末装置への無線信号の送信動作を調整し、
前記動作を調整するステップにおいては、自己の無線基地局装置から無線端末装置への無線信号の送信電力を調整し、
前記所定移動動作の発生を検知するステップにおいては、無線端末装置による他の無線基地局装置から自己の無線基地局装置への移動動作が早すぎる第１の移動動作、および遅すぎる第２の移動動作を検知し、
前記動作を調整するステップにおいては、前記第１の移動動作が検知された場合には前記送信電力を大きくし、前記第２の移動動作が検知された場合には前記送信電力を小さくする、通信制御プログラム。
【請求項１９】
無線端末装置が移動動作を行なうことにより複数の無線基地局装置と通信可能な通信システムにおいて、無線端末装置との間で無線信号を送受信するための無線基地局装置において用いられる通信制御プログラムであって、コンピュータに、
無線端末装置による他の無線基地局装置から自己の無線基地局装置への移動動作のうち、所定移動動作の発生を検知するステップと、
前記所定移動動作を検知した場合には、前記所定移動動作の発生が抑制されるように、自己の無線基地局装置の動作を調整するステップとを実行させるためのプログラムであり、
前記動作を調整するステップにおいては、自己の無線基地局装置から無線端末装置への無線信号の送信動作を調整し、
前記動作を調整するステップにおいては、自己の無線基地局装置から無線端末装置への無線信号の送信に関するリソースを調整し、
前記所定移動動作の発生を検知するステップにおいては、無線端末装置による他の無線基地局装置から自己の無線基地局装置への移動動作が早すぎる第１の移動動作、および遅すぎる第２の移動動作を検知し、
前記動作を調整するステップにおいては、前記第１の移動動作が検知された場合には、前記無線信号に含める所定情報、前記無線信号の周波数および前記無線信号の電力のうち、少なくともいずれか１つが制限される期間を減少させ、前記第２の移動動作が検知された場合には前記期間を増加させる、通信制御プログラム。
【請求項２０】
無線端末装置が移動動作を行なうことにより複数の無線基地局装置と通信可能な通信システムにおいて、無線端末装置との間で無線信号を送受信するための無線基地局装置において用いられる通信制御プログラムであって、コンピュータに、
無線端末装置による他の無線基地局装置から自己の無線基地局装置への移動動作のうち、所定移動動作の発生を検知するステップと、
前記所定移動動作を検知した場合には、前記所定移動動作の発生が抑制されるように、自己の無線基地局装置の動作を調整するステップとを実行させるためのプログラムであり、
前記動作を調整するステップにおいては、自己の無線基地局装置から無線端末装置への無線信号の送信動作を調整し、
前記動作を調整するステップにおいては、自己の無線基地局装置から無線端末装置への無線信号の送信に関するリソースを調整し、
前記所定移動動作の発生を検知するステップにおいては、無線端末装置による他の無線基地局装置から自己の無線基地局装置への移動動作が早すぎる第１の移動動作、および遅すぎる第２の移動動作を検知し、
前記リソースは、前記無線信号の送信に使用する周波数であり、
前記動作を調整するステップにおいては、前記第１の移動動作が検知された場合には前記周波数の種類を減少させ、前記第２の移動動作が検知された場合には前記周波数の種類を増加させる、通信制御プログラム。
【請求項２１】
無線端末装置が移動動作を行なうことにより複数の無線基地局装置と通信可能な通信システムにおいて、無線端末装置との間で無線信号を送受信するための無線基地局装置において用いられる通信制御プログラムであって、コンピュータに、
無線端末装置による他の無線基地局装置から自己の無線基地局装置への移動動作のうち、所定移動動作の発生を検知するステップと、
前記所定移動動作を検知した場合には、前記所定移動動作の発生が抑制されるように、自己の無線基地局装置の動作を調整するステップとを実行させるためのプログラムであり、
前記動作を調整するステップにおいては、自己の無線基地局装置から無線端末装置への無線信号の送信動作を調整し、
前記動作を調整するステップにおいては、自己の無線基地局装置から無線端末装置へ無線信号を送信するためのアンテナの指向性を調整し、
前記所定移動動作の発生を検知するステップにおいては、無線端末装置による他の無線基地局装置から自己の無線基地局装置への移動動作が早すぎる第１の移動動作、および遅すぎる第２の移動動作を検知し、
前記動作を調整するステップにおいては、前記第１の移動動作が検知された場合には、前記アンテナの指向性を調整することにより前記他の無線基地局装置への方向の送信電波のビームの強度を大きくし、前記第２の移動動作が検知された場合には、前記アンテナの指向性を調整することにより前記他の無線基地局装置への方向の送信電波のビームの強度を小さくする、通信制御プログラム。
【発明の詳細な説明】
【技術分野】
【０００１】
本発明は、無線基地局装置、通信制御方法および通信制御プログラムに関し、特に、無線端末装置が移動動作を行なうことにより複数の無線基地局装置と通信可能な通信システムにおける無線基地局装置、通信制御方法および通信制御プログラムに関する。
【背景技術】
【０００２】
従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。
【０００３】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。
【０００４】
これらの要望と併せて、無線基地局装置で使用される種々のデバイスの処理能力が飛躍的に向上したことによって無線基地局装置の小型化が進み、このような小型化された基地局が注目を集めている。
【０００５】
この小型基地局（以下、フェムト基地局とも称する。）が形成するフェムトセル（Femto Cell）の半径は１０メートル前後と小さいため、フェムト基地局は、マクロ基地局が形成するマクロセル（Macro Cell）の圏外となりマクロ基地局の設置が困難な屋内および地下街等の場所で使用されることが考えられる。
【０００６】
また、フェムト基地局は特定のエリアに多数設置されることから、フェムト基地局を直接コアネットワークに接続することは難しい。このため、特定のエリアに設置された多数のフェムト基地局を一旦、ＨｅＮＢ−ＧＷ等のゲートウェイ装置に接続し、フェムト基地局とコアネットワークとをＨｅＮＢ−ＧＷ経由で接続することが考えられる。
【０００７】
また、フェムト基地局に加えて、マクロ基地局をベースに、たとえば半径１００メートルから２００メートルのピコセルを形成するピコ基地局も開発されている。
【０００８】
このようなフェムト基地局、ピコ基地局およびマクロ基地局が混在する通信システムであるヘテロジーニアスネットワークでは、たとえばマクロセル内に複数のフェムトセルまたはピコセルが形成される。このため、無線端末装置のハンドオーバが起こりやすくなり、また、ハンドオーバを行なう状況も複雑になることから、ハンドオーバのタイミングが早すぎたり、あるいは遅すぎたりするなど、不適切なハンドオーバ動作が行なわれる場合がある（たとえば、3GPP TR 36.902 V9.3.1 2011.3（非特許文献１）参照）。
【先行技術文献】
【非特許文献】
【０００９】
【非特許文献１】3GPP TR 36.902 V9.3.1 2011.3
【発明の概要】
【発明が解決しようとする課題】
【００１０】
非特許文献１に記載されるような不適切なハンドオーバ動作が行なわれると、通信システムにおいて、通信断および通信トラフィックの増大等、種々の問題が生じる。このような不適切なハンドオーバ動作を抑制し、良好な通信システムを構築する技術が望まれる。
【００１１】
この発明は、上述の課題を解決するためになされたもので、その目的は、無線端末装置の移動動作を適切に制御することにより、通信の安定化を図ることが可能な無線基地局装置、通信制御方法および通信制御プログラムを提供することである。
【課題を解決するための手段】
【００１２】
（１）上記課題を解決するために、この発明のある局面に係わる無線基地局装置は、無線端末装置が移動動作を行なうことにより複数の無線基地局装置と通信可能な通信システムにおいて、無線端末装置との間で無線信号を送受信するための無線基地局装置であって、無線端末装置による他の無線基地局装置から自己の無線基地局装置への移動動作のうち、所定移動動作の発生を検知するための移動動作検知部と、上記移動動作検知部によって上記所定移動動作が検知された場合には、上記所定移動動作の発生が抑制されるように、自己の無線基地局装置の動作を調整するための回避処理部とを備える。
【００１３】
このように、移動先の無線基地局装置において不適切な移動動作の検知および回避処理を実行することができるため、他の無線基地局装置に対して移動動作のタイミング制御に用いるパラメータを調整させることができない場合においても、所定移動動作の発生を抑制し、良好な通信システムを構築することができる。したがって、無線端末装置の移動動作を適切に制御することにより、通信の安定化を図ることができる。
【００１４】
（２）好ましくは、上記回避処理部は、自己の無線基地局装置の動作を調整することにより、上記他の無線基地局装置から自己の無線基地局装置への移動動作のタイミングを調整する。
【００１５】
このように、移動先の無線基地局装置である自己の無線基地局装置の動作を調整することにより、移動動作のタイミングを調整し、不適切な移動動作の発生を抑制することができる。
【００１６】
（３）より好ましくは、上記回避処理部は、無線端末装置による上記他の無線基地局装置から自己の無線基地局装置への移動動作を許可する旨を上記他の無線基地局装置に通知するタイミングを調整する。
【００１７】
このように、無線端末装置による他の無線基地局装置から自己の無線基地局装置への移動動作を許可する旨を他の無線基地局装置に通知するタイミングを調整することにより、他の無線基地局装置から自己の無線基地局装置への移動動作のタイミングを調整することができる。
【００１８】
（４）より好ましくは、上記移動動作検知部は、無線端末装置による他の無線基地局装置から自己の無線基地局装置への移動動作が早すぎる第１の移動動作、および遅すぎる第２の移動動作を検知し、上記回避処理部は、上記第１の移動動作が検知された場合には上記許可の通知のタイミングを遅くし、上記第２の移動動作が検知された場合には上記許可の通知のタイミングを早くする。
【００１９】
このように、無線端末装置による他の無線基地局装置から自己の無線基地局装置への移動動作を許可する旨を他の無線基地局装置に通知するタイミングを適応的に調整することにより、他の無線基地局装置から自己の無線基地局装置への移動動作のタイミングを適切に調整することができる。
【００２０】
（５）好ましくは、上記回避処理部は、無線端末装置による上記他の無線基地局装置から自己の無線基地局装置への移動動作を許可する条件を調整する。
【００２１】
このような構成により、無線端末装置による他の無線基地局装置から自己の無線基地局装置側への移動動作を許可する条件を調整することで、不適切な移動動作の発生を抑制することができる。
【００２２】
（６）より好ましくは、上記無線基地局装置は、さらに、無線端末装置における各無線基地局装置からの無線信号の受信電力の測定結果を示す受信電力情報を取得するための受信電力情報取得部を備え、上記回避処理部は、上記受信電力情報が示す上記他の無線基地局装置からの無線信号の受信電力および自己の無線基地局装置からの無線信号の受信電力に基づいて上記条件を調整する。
【００２３】
このような構成により、無線端末装置における受信電力に基づいて、無線端末装置による他の無線基地局装置から自己の無線基地局装置への移動動作を許可する条件を適切に調整することができる。
【００２４】
（７）より好ましくは、上記移動動作検知部は、無線端末装置による他の無線基地局装置から自己の無線基地局装置への移動動作が早すぎる第１の移動動作、および遅すぎる第２の移動動作を検知し、上記回避処理部は、上記他の無線基地局装置からの無線信号の受信電力、および自己の無線基地局装置からの無線信号の受信電力の差が所定のしきい値未満の場合、または上記他の無線基地局装置からの無線信号の受信電力および自己の無線基地局装置からの無線信号の受信電力に基づく上記他の無線基地局装置の受信品質が悪い場合に、無線端末装置による上記他の無線基地局装置から自己の無線基地局装置への移動動作を許可し、上記第１の移動動作が検知された場合には上記しきい値を小さくし、上記第２の移動動作が検知された場合には上記しきい値を大きくする。
【００２５】
このように、無線端末装置における受信電力または受信品質に基づいた判断を行うためのしきい値を適応的に調整することにより、無線端末装置による他の無線基地局装置から自己の無線基地局装置への移動動作を許可する条件をより適切に調整することができる。
【００２６】
（８）好ましくは、上記回避処理部は、自己の無線基地局装置から無線端末装置への無線信号の送信動作を調整する。
【００２７】
このような構成により、自己の無線基地局装置から送信する無線信号の無線端末装置における受信状態を調整することで、不適切な移動動作の発生を抑制することができる。
【００２８】
（９）より好ましくは、上記回避処理部は、自己の無線基地局装置から無線端末装置への無線信号の送信電力を調整する。
【００２９】
このように、自己の無線基地局装置から送信する無線信号の送信電力を調整することにより、各無線基地局装置により送信される無線信号の無線端末装置における受信電力の大小関係を適切に制御することができる。
【００３０】
（１０）より好ましくは、上記移動動作検知部は、無線端末装置による他の無線基地局装置から自己の無線基地局装置への移動動作が早すぎる第１の移動動作、および遅すぎる第２の移動動作を検知し、上記回避処理部は、上記第１の移動動作が検知された場合には上記送信電力を大きくし、上記第２の移動動作が検知された場合には上記送信電力を小さくする。
【００３１】
このように、自己の無線基地局装置から送信する無線信号の送信電力を適応的に調整することにより、各無線基地局装置により送信される無線信号の無線端末装置における受信状態を適切に設定することができる。
【００３２】
（１１）より好ましくは、上記回避処理部は、自己の無線基地局装置から無線端末装置への無線信号の送信に関するリソースを調整する。
【００３３】
このように、自己の無線基地局装置から無線端末装置への無線信号の送信に関するリソースを調整することにより、各無線基地局装置により送信される無線信号の無線端末装置における受信電力の大小関係を適切に制御することができる。
【００３４】
（１２）より好ましくは、上記移動動作検知部は、無線端末装置による他の無線基地局装置から自己の無線基地局装置への移動動作が早すぎる第１の移動動作、および遅すぎる第２の移動動作を検知し、上記回避処理部は、上記第１の移動動作が検知された場合には、上記無線信号に含める所定情報、上記無線信号の周波数および上記無線信号の電力のうち、少なくともいずれか１つが制限される期間を減少させ、上記第２の移動動作が検知された場合には上記期間を増加させる。
【００３５】
このように、自己の無線基地局装置より送信される無線信号に含める所定情報、無線信号の周波数および無線信号の電力のうち、少なくともいずれか１つが制限される期間を適応的に調整することにより、各無線基地局装置により送信される無線信号の無線端末装置における受信状態を適切に設定することができる。
【００３６】
（１３）より好ましくは、上記移動動作検知部は、無線端末装置による他の無線基地局装置から自己の無線基地局装置への移動動作が早すぎる第１の移動動作、および遅すぎる第２の移動動作を検知し、上記リソースは、上記無線信号の送信に使用する周波数であり、上記回避処理部は、上記第１の移動動作が検知された場合には上記周波数の種類を減少させ、上記第２の移動動作が検知された場合には上記周波数の種類を増加させる。
【００３７】
このように、自己の無線基地局装置より送信される無線信号に使用する周波数の種類を適応的に調整することにより、各無線基地局装置により送信される無線信号の無線端末装置における受信状態を適切に設定することができる。
【００３８】
（１４）より好ましくは、上記回避処理部は、自己の無線基地局装置から無線端末装置へ無線信号を送信するためのアンテナの指向性を調整し、上記移動動作検知部は、無線端末装置による他の無線基地局装置から自己の無線基地局装置への移動動作が早すぎる第１の移動動作、および遅すぎる第２の移動動作を検知し、上記回避処理部は、上記第１の移動動作が検知された場合には、上記アンテナの指向性を調整することにより上記他の無線基地局装置への方向の送信電波のビームの強度を大きくし、上記第２の移動動作が検知された場合には、上記アンテナの指向性を調整することにより上記他の無線基地局装置への方向の送信電波のビームの強度を小さくする。
【００３９】
このように、自己の無線基地局装置より送信する無線信号の送信に使用するアンテナの指向性を適応的に調整することにより、各無線基地局装置により送信される無線信号の無線端末装置における受信状態を適切に設定することができる。
【００４０】
（１５）好ましくは、上記無線基地局装置は、さらに、上記無線端末装置における自己の無線基地局装置からの無線信号の受信品質である第１の受信品質を示す受信品質情報を取得するための受信品質情報取得部を備え、上記移動動作検知部は、無線端末装置による他の無線基地局装置から自己の無線基地局装置への移動動作が行われてから最初にまたは所定時間内に取得された上記受信品質情報の示す上記第１の受信品質が悪い場合には、上記無線端末装置による上記他の無線基地局装置から自己の無線基地局装置への移動動作のタイミングが早すぎる所定移動動作が発生したと判断する。
【００４１】
このような構成により、自己の無線基地局装置が移動先の無線基地局装置であり、かつ所定移動動作に関する情報が無線端末装置から自己の無線基地局装置へ送信されない場合においても、無線端末装置の受信品質に基づいて、所定移動動作の発生を適切に判断することができる。
【００４２】
（１６）より好ましくは、上記受信品質情報取得部は、さらに、上記無線端末装置における上記他の無線基地局装置からの無線信号の受信品質である第２の受信品質を示す受信品質情報を取得し、上記移動動作検知部は、無線端末装置による他の無線基地局装置から自己の無線基地局装置への移動動作が行われてから最初にまたは所定時間内に取得された上記受信品質情報の示す上記第１の受信品質が悪く、かつ上記第２の受信品質が良い場合には、上記無線端末装置による上記他の無線基地局装置から自己の無線基地局装置への移動動作のタイミングが早すぎる所定移動動作が発生したと判断する。
【００４３】
このような構成により、所定移動動作が発生した要因が、移動元の無線基地局装置による早すぎる移動動作であるか、または無線端末装置における通信環境が原因であるかどうかについて適切に判断することができる。これにより、無線端末装置の受信品質に基づいて、所定移動動作の発生をより適切に判断することができる。
【００４４】
（１７）好ましくは、上記無線基地局装置は、さらに、無線端末装置からの所定情報の到着を予定し、上記所定情報の到着を監視するための監視部と、上記無線端末装置による他の無線基地局装置から自己の無線基地局装置への移動動作が行なわれてから、上記無線端末装置からの上記所定情報が上記監視部の予定に反して自己の無線基地局装置に到着しなくなるまでの時間を計測するための時間計測部とを備え、上記移動動作検知部は、上記時間計測部によって計測された上記時間が所定値未満の場合には、上記無線端末装置による上記他の無線基地局装置から自己の無線基地局装置への移動動作のタイミングが早すぎる所定移動動作が発生したと判断する。
【００４５】
このような構成により、自己の無線基地局装置が移動先の無線基地局装置であり、かつ所定移動動作に関する情報が無線端末装置から自己の無線基地局装置へ送信されない場合においても、無線端末装置からの所定情報が監視部の予定に反して自己の無線基地局装置に到着しなくなるまでの時間に基づいて、所定移動動作の発生を適切に判断することができる。
【００４６】
（１８）上記課題を解決するために、この発明のある局面に係わる通信制御方法は、無線端末装置が移動動作を行なうことにより複数の無線基地局装置と通信可能な通信システムにおいて、無線端末装置との間で無線信号を送受信するための無線基地局装置における通信制御方法であって、無線端末装置による他の無線基地局装置から自己の無線基地局装置への移動動作のうち、所定移動動作の発生を検知するステップと、上記所定移動動作を検知した場合には、上記所定移動動作の発生が抑制されるように、自己の無線基地局装置の動作を調整するステップとを含む。
【００４７】
このように、移動先の無線基地局装置において不適切な移動動作の検知および回避処理を実行することができるため、他の無線基地局装置に対して移動動作のタイミング制御に用いるパラメータを調整させることができない場合においても、所定移動動作の発生を抑制し、良好な通信システムを構築することができる。したがって、無線端末装置の移動動作を適切に制御することにより、通信の安定化を図ることができる。
【００４８】
（１９）上記課題を解決するために、この発明のある局面に係わる通信制御プログラムは、無線端末装置が移動動作を行なうことにより複数の無線基地局装置と通信可能な通信システムにおいて、無線端末装置との間で無線信号を送受信するための無線基地局装置において用いられる通信制御プログラムであって、コンピュータに、無線端末装置による他の無線基地局装置から自己の無線基地局装置への移動動作のうち、所定移動動作の発生を検知するステップと、上記所定移動動作を検知した場合には、上記所定移動動作の発生が抑制されるように、自己の無線基地局装置の動作を調整するステップとを実行させるためのプログラムである。
【００４９】
このように、移動先の無線基地局装置において不適切な移動動作の検知および回避処理を実行することができるため、他の無線基地局装置に対して移動動作のタイミング制御に用いるパラメータを調整させることができない場合においても、所定移動動作の発生を抑制し、良好な通信システムを構築することができる。したがって、無線端末装置の移動動作を適切に制御することにより、通信の安定化を図ることができる。
【発明の効果】
【００５０】
本発明によれば、無線端末装置の移動動作を適切に制御することにより、通信の安定化を図ることができる。
【図面の簡単な説明】
【００５１】
【図１】本発明の実施の形態に係る無線通信システムの構成を示す図である。
【図２】本発明の実施の形態に係る無線通信システムにおけるハンドオーバ動作のシーケンスの一例を示す図である。
【図３】本発明の実施の形態に係る無線通信システムにおいて、不適切なハンドオーバ動作（Ｔｏｏ  Ｌａｔｅ  ＨＯ）が生じた状況の一例を示す図である。
【図４】本発明の実施の形態に係る無線通信システムにおける、不適切なハンドオーバ動作（Ｔｏｏ  Ｌａｔｅ  ＨＯ）およびその検知処理のシーケンスの一例を示す図である。
【図５】本発明の実施の形態に係る無線通信システムにおいて、不適切なハンドオーバ動作（Ｔｏｏ  Ｅａｒｌｙ  ＨＯ  ｃａｓｅ  １）が生じた状況の一例を示す図である。
【図６】本発明の実施の形態に係る無線通信システムにおける、不適切なハンドオーバ動作（Ｔｏｏ  Ｅａｒｌｙ  ＨＯ  ｃａｓｅ  １）およびその検知処理のシーケンスの一例を示す図である。
【図７】本発明の実施の形態に係る無線通信システムにおいて、不適切なハンドオーバ動作（Ｔｏｏ  Ｅａｒｌｙ  ＨＯ  ｃａｓｅ  ２）が生じた状況の一例を示す図である。
【図８】本発明の実施の形態に係る無線通信システムにおける、不適切なハンドオーバ動作（Ｔｏｏ  Ｅａｒｌｙ  ＨＯ  ｃａｓｅ  ２）およびその検知処理のシーケンスの一例を示す図である。
【図９】本発明の実施の形態に係る無線通信システムにおいて、不適切なハンドオーバ動作（ＨＯ  ｔｏ  Ｗｒｏｎｇ  Ｃｅｌｌ）が生じた状況の一例を示す図である。
【図１０】本発明の実施の形態に係る無線通信システムにおける、不適切なハンドオーバ動作（ＨＯ  ｔｏ  Ｗｒｏｎｇ  Ｃｅｌｌ）およびその検知処理のシーケンスの一例を示す図である。
【図１１】本発明の実施の形態に係る無線基地局装置の構成を示す図である。
【図１２】本発明の実施の形態に係る無線基地局装置における制御部の構成を示す図である。
【図１３】本発明の実施の形態に係る無線基地局装置が不適切なハンドオーバ動作の原因の特定するための動作手順を定めたフローチャートである。
【図１４】本発明の実施の形態に係るターゲット基地局において不適切なハンドオーバ動作（Ｔｏｏ  Ｅａｒｌｙ  ＨＯ）およびその検知処理のシーケンスの一例を示す図である。
【図１５】本発明の実施の形態に係るターゲット基地局において不適切なハンドオーバ動作（Ｔｏｏ  Ｅａｒｌｙ  ＨＯ）およびその検知処理のシーケンスの一例を示す図である。
【図１６】本発明の実施の形態に係る無線基地局装置がハンドオーバ動作のタイミング制御を行う際の動作手順のシーケンスの一例を示す図である。
【図１７】本発明の実施の形態に係る無線端末装置が無線基地局装置間を移動する際に測定する無線信号の受信電力差および受信品質の変化を示す図である。
【図１８】本発明の実施の形態に係る無線基地局装置がハンドオーバ動作のタイミング制御を行う際の動作手順のシーケンスの一例を示す図である。
【図１９】本発明の実施の形態に係るターゲット基地局が送信電力を調整することにより不適切なハンドオーバ動作を防ぐ状況の一例を示す図である。
【図２０】本発明の実施の形態に係るターゲット基地局が送信する無線信号に含まれるフレームの一例を示す図である。
【発明を実施するための形態】
【００５２】
以下、本発明の実施の形態について図面を用いて説明する。なお、図中同一または相当部分には同一符号を付してその説明は繰り返さない。
【００５３】
無線基地局装置は、自らの形成するセルおよび周辺セルについての情報、すなわち無線信号の周波数および周辺セルのＩＤ（identification）等を無線端末装置に通知する。無線端末装置は、無線基地局装置から通知された情報に基づいて、周辺セルの検知および測定を行なう。無線端末装置は、この測定結果に基づいて、周辺セルへの移動を開始する。ここで、無線端末装置の「移動」とは、ハンドオーバを意味することに加えて、アイドル状態の無線端末装置が今後通信を開始する、すなわち通話またはデータ通信を開始する際にどのセルを介して通信を行なうかを選択することを意味する。
【００５４】
たとえば、無線端末装置が無線基地局装置と通信しているときには、無線端末装置の移動先は無線基地局装置またはコアネットワークにおける上位装置が決定する。また、たとえば、無線端末装置が無線基地局装置と通信していないときには、無線端末装置の移動先は無線端末装置が決定する。
【００５５】
また、ハンドオーバとは、通話中またはデータ通信中の無線端末装置の通信相手となる無線基地局装置が切り替えられることを意味する。
【００５６】
また、無線端末装置がセルに在圏している、とは、無線端末装置が、当該セルを形成する無線基地局装置を通信先として選択し、かつ当該無線基地局装置と通信可能な状態または通信中である状態を意味する。
【００５７】
フェムトセルおよびアクセスモードは、３ＧＰＰ（Third Generation Partnership Project）  ＳＰＥＣ  ＴＳ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【００５８】
また、フェムトセルのアクセスモードにおいて、クローズドアクセスモードのフェムト基地局は、関連するＣＳＧ（Closed Subscriber Group）メンバーにのみサービスを提供する。また、ハイブリッドモードのフェムト基地局は、関連するＣＳＧメンバーおよびＣＳＧノンメンバーにサービスを提供する。また、オープンアクセスモードのフェムト基地局は、通常の基地局として動作する。
【００５９】
本発明の実施の形態に係る無線通信システムにおいても、このような３ＧＰＰの定義を適用してもよい。
【００６０】
また、上記定義と合わせて、あるいは別個に、以下のような定義を適用することも可能である。
【００６１】
マクロ基地局およびピコ基地局は、事業者の管理下にあり、事業者と契約している無線基地局装置が通信可能な無線基地局装置である。また、マクロ基地局およびピコ基地局は、基本的に電源がオフになることはないと考えられる。
【００６２】
また、フェムト基地局は、主に個人または法人の建物内に設置され、ユーザの事情により移動するまたは電源がオフとなる可能性がある無線基地局装置である。
【００６３】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドモードで動作する場合には、登録済みのメンバー、および未登録のメンバーすなわちノンメンバーの両方にサービスを提供する。また、オープンアクセスモードで動作する場合には、マクロ基地局およびピコ基地局と同じ動作をする。
【００６４】
［構成および基本動作］
図１は、本発明の実施の形態に係る無線通信システムの構成を示す図である。
【００６５】
図１を参照して、無線通信システムは、たとえば３ＧＰＰ（Third Generation Partnership Project）で規格化されたＬＴＥ（Long Term Evolution）に従う移動体通信システムであり、無線基地局装置１０１Ａ，１０１Ｂを備える。図１では、２つの無線基地局装置を代表的に示しているが、さらに多数の無線基地局装置が設けられてもよい。
【００６６】
無線基地局装置１０１Ａ，１０１Ｂは、たとえばフェムト基地局、ピコ基地局またはマクロ基地局である。
【００６７】
無線基地局装置１０１Ａは、セルＣＡを形成し、セルＣＡ内に存在する無線端末装置２０２と無線信号を送受信することにより、当該無線端末装置２０２と通信することが可能である。無線基地局装置１０１Ｂは、セルＣＢを形成し、セルＣＢ内に存在する無線端末装置２０２と無線信号を送受信することにより、当該無線端末装置２０２と通信することが可能である。
【００６８】
ここで、無線端末装置からコアネットワークへの方向を上り方向と称し、コアネットワークから無線端末装置への方向を下り方向と称する。
【００６９】
本発明の実施の形態に係る無線通信システムにおける無線基地局装置および無線端末装置は、以下の各シーケンスの各ステップを含むプログラムを図示しないメモリから読み出して実行する。このプログラムは、外部からインストールすることができる。このインストールされるプログラムは、たとえば記録媒体に格納された状態で流通する。
【００７０】
図２は、本発明の実施の形態に係る無線通信システムにおけるハンドオーバ動作のシーケンスの一例を示す図である。
【００７１】
ここでは、図１に示すように、無線端末装置２０２が、セルＣＡ内に位置し、無線基地局装置１０１Ａと通信中である状態から、セルＣＡおよびセルＣＢの重複領域へ移動した場合を想定する。
【００７２】
図２を参照して、まず、無線基地局装置１０１Ａは、自己と通信中の無線端末装置２０２の測定対象となる周波数と、当該周波数の無線信号を送信する他の無線基地局装置とを設定する（ステップＳ１）。
【００７３】
次に、無線基地局装置１０１Ａは、設定した他の無線基地局装置から送信される無線信号の受信電力を無線端末装置２０２に測定させるための測定開始要求（Measurement Configuration）を無線端末装置２０２へ送信する。この測定開始要求には、周辺セル情報、すなわち測定対象となる無線基地局装置のセルＩＤが含まれる。また、この測定開始要求には、各無線基地局装置の送信周波数が含まれる（ステップＳ２）。
【００７４】
次に、無線端末装置２０２は、無線基地局装置１０１Ａから測定開始要求を受信して、電力測定処理（Measurement）を開始する、すなわち受信した測定開始要求の示す周波数において、測定開始要求の示す無線基地局装置から送信される無線信号の受信電力を測定する（ステップＳ３）。
【００７５】
次に、無線端末装置２０２は、この受信電力の測定結果を示す測定結果通知（Measurement Report）を無線基地局装置１０１Ａへ送信する。たとえば、無線端末装置２０２は、受信電力の測定を定期的に行ない、無線基地局装置１０１Ａとの通信状態が悪くなった場合、および無線基地局装置１０１Ａ以外の他の無線基地局装置との通信状態が良くなった場合に、測定結果通知を無線基地局装置１０１Ａへ送信する（ステップＳ４）。
【００７６】
次に、無線基地局装置１０１Ａは、無線端末装置２０２から受信した測定結果通知に基づいて、セルＩＤごとの測定結果を示す測定情報を取得し、図示しない記憶部に保存する（ステップＳ５）。
【００７７】
次に、無線基地局装置１０１Ａは、無線端末装置２０２から受信した測定結果通知に基づいて、当該無線端末装置２０２がハンドオーバすべきか否かを判断し、ハンドオーバすべきであると判断すると、周辺セル情報を参照してたとえば無線基地局装置１０１Ｂをハンドオーバ先として決定する（ステップＳ６）。
【００７８】
次に、無線基地局装置１０１Ａは、無線基地局装置１０１Ｂを示すハンドオーバ要求を上位装置へ送信する（ステップＳ７）。
【００７９】
次に、上位装置は、無線基地局装置１０１Ａからハンドオーバ要求を受信して、無線基地局装置１０１Ｂへ当該ハンドオーバ要求を送信する（ステップＳ８）。
【００８０】
次に、無線基地局装置１０１Ｂは、上位装置からハンドオーバ要求を受信して、上位装置へ当該ハンドオーバ要求に対するハンドオーバ応答を送信する（ステップＳ９）。
【００８１】
次に、上位装置は、無線基地局装置１０１Ｂからハンドオーバ応答を受信して、無線基地局装置１０１Ａへハンドオーバ指示を送信する（ステップＳ１０）。
【００８２】
次に、無線基地局装置１０１Ａは、上位装置からハンドオーバ指示を受信して、無線端末装置２０２へＲＲＣ（Radio Resource Control）コネクション再構成指示（RRC Connection Reconfiguration）を送信する（ステップＳ１１）。
【００８３】
次に、無線基地局装置１０１Ａは、上位装置へ自己の通信状態等を示す状態通知を送信する（ステップＳ１２）。
【００８４】
次に、上位装置は、無線基地局装置１０１Ａから状態通知を受信して、無線基地局装置１０１Ｂへ無線端末装置２０２との通信内容等を示す状態通知を送信する（ステップＳ１３）。
【００８５】
また、無線端末装置２０２および無線基地局装置１０１Ｂ間でＲＲＣコネクションが確立されると、無線端末装置２０２は、無線基地局装置１０１ＢへＲＲＣコネクション再構成完了通知（RRC Connection Reconfiguration Complete）を送信する（ステップＳ１４）。
【００８６】
次に、無線基地局装置１０１Ｂは、無線端末装置２０２からＲＲＣコネクション再構成完了通知を受信して、上位装置へハンドオーバ完了通知を送信する（ステップＳ１５）。
【００８７】
次に、上位装置は、無線基地局装置１０１Ｂからハンドオーバ完了通知を受信して、端末情報解放指示を無線基地局装置１０１Ａへ送信する（ステップＳ１６）。
【００８８】
次に、無線基地局装置１０１Ａは、上位装置から端末情報解放指示を受信して、無線端末装置２０２に関する情報を解放し、上位装置へ端末情報解放完了通知を送信する（ステップＳ１７）。
【００８９】
［不適切なハンドオーバ動作の例］
以下、無線端末装置２０２と通信中の無線基地局装置またはハンドオーバ元の無線基地局装置をサービング基地局とも称し、ハンドオーバ先となり得る無線基地局装置を周辺基地局とも称する。また、サービング基地局が、ハンドオーバ先に適していると判断し、ハンドオーバ要求を送信した無線基地局装置をターゲット基地局とも称する。
【００９０】
図３は、本発明の実施の形態に係る無線通信システムにおいて、不適切なハンドオーバ動作（Ｔｏｏ  Ｌａｔｅ  ＨＯ）が生じた状況の一例を示す図である。
【００９１】
図３を参照して、無線通信システムは、図１に示す無線通信システムと比べて、さらに、無線基地局装置１０１Ｚを備える。無線基地局装置１０１Ｚは、たとえばフェムト基地局、ピコ基地局またはマクロ基地局である。
【００９２】
無線基地局装置１０１Ｚは、セルＣＺを形成し、セルＣＺ内に存在する無線端末装置２０２と無線信号を送受信することにより、当該無線端末装置２０２と通信することが可能である。
【００９３】
図４は、本発明の実施の形態に係る無線通信システムにおける、不適切なハンドオーバ動作（Ｔｏｏ  Ｌａｔｅ  ＨＯ）およびその検知処理のシーケンスの一例を示す図である。
【００９４】
“Ｔｏｏ  Ｌａｔｅ  ＨＯ”は、たとえば以下のような場合をいう。すなわち、ハンドオーバが始まる前、あるいはハンドオーバ処理の最中に、ハンドオーバ元の無線基地局装置について無線リンク断（ＲＬＦ：Radio Link Failure）が発生し、かつハンドオーバ元の無線基地局装置以外の無線基地局装置に対する無線端末装置２０２の接続再確立が生じた場合である。
【００９５】
“Ｔｏｏ  Ｌａｔｅ  ＨＯ”の検知方法は、たとえば以下のようになる。すなわち、無線端末装置２０２が無線基地局装置１０１ＡについてＲＬＦを起こした後に無線基地局装置１０１Ｂに対して無線リンクを再確立した場合、無線端末装置２０２が無線基地局装置１０１Ｂに対してＲＬＦレポートを送信する。これにより、無線基地局装置１０１Ｂは“Ｔｏｏ  Ｌａｔｅ  ＨＯ”を検知する。
【００９６】
ここでは、図３に示すように、無線端末装置２０２が、セルＣＺ内に位置し、無線基地局装置１０１Ｚと通信中である状態から、セルＣＡの圏内へ移動した場合（ステップＳ５０）を想定する。
【００９７】
図３および図４を参照して、まず、無線端末装置２０２は、各無線基地局装置から送信される無線信号の受信電力を測定し、測定した受信電力の測定結果を示す測定結果通知を無線基地局装置１０１Ｚへ送信する（ステップＳ５２）。
【００９８】
次に、無線基地局装置１０１Ｚは、無線端末装置２０２から受信した測定結果通知に基づいて、当該無線端末装置２０２のハンドオーバを行なうべきか否かを判断する。無線基地局装置１０１Ｚは、当該無線端末装置２０２のハンドオーバを行なうべきであると判断すると、周辺セル情報を参照してたとえば無線基地局装置１０１Ａをハンドオーバ先として決定する（ステップＳ５４）。
【００９９】
次に、無線基地局装置１０１Ｚは、無線基地局装置１０１Ａを示すハンドオーバ要求を、上位装置へ送信する（ステップＳ５６）。
【０１００】
次に、上位装置は、無線基地局装置１０１Ｚからハンドオーバ要求を受信して、無線基地局装置１０１Ａへ当該ハンドオーバ要求を送信する（ステップＳ５８）。
【０１０１】
次に、無線基地局装置１０１Ａは、上位装置からハンドオーバ要求を受信して、上位装置へ当該ハンドオーバ要求に対するハンドオーバ応答を送信する（ステップＳ６０）。
【０１０２】
次に、上位装置は、無線基地局装置１０１Ａからハンドオーバ応答を受信して、無線基地局装置１０１Ｚへハンドオーバ指示を送信する（ステップＳ６２）。
【０１０３】
次に、無線基地局装置１０１Ｚは、上位装置からハンドオーバ指示を受信して、無線端末装置２０２へＲＲＣコネクション再構成指示（RRC Connection Reconfiguration）を送信する（ステップＳ６４）。
【０１０４】
次に、無線端末装置２０２は、無線基地局装置１０１ＺからＲＲＣコネクション再構成指示を受信すると、ＲＲＣコネクション再構成指示を受けた時刻であるＨＯ時刻を取得し、図示しない記憶部に保存する（ステップＳ６６）。この際、無線端末装置２０２は、ＲＲＣコネクション再構成指示を送信してきた無線基地局装置１０１ＺのＥＣＧＩ（E- UTRAN Cell Global Identifier）およびハンドオーバ先となる無線基地局装置１０１ＡのＥＣＧＩを、後述するＨＯ要求セルＩＤおよびＲＬＦ時サービングセルＩＤとしてそれぞれ図示しない記憶部に保存する。
【０１０５】
また、無線基地局装置１０１Ｚは、上位装置へ自己の通信状態等を示す状態通知を送信する（ステップＳ６８）。
【０１０６】
次に、上位装置は、無線基地局装置１０１Ｚから状態通知を受信して、無線基地局装置１０１Ａへ無線端末装置２０２との通信内容等を示す状態通知を送信する（ステップＳ７０）。
【０１０７】
また、無線端末装置２０２および無線基地局装置１０１Ａ間でＲＲＣコネクションが確立されると、無線端末装置２０２は、無線基地局装置１０１ＡへＲＲＣコネクション再構成完了通知を送信する（ステップＳ７２）。
【０１０８】
次に、無線基地局装置１０１Ａは、無線端末装置２０２からＲＲＣコネクション再構成完了通知を受信して、上位装置へハンドオーバ完了通知を送信する（ステップＳ７４）。
【０１０９】
次に、上位装置は、無線基地局装置１０１Ａからハンドオーバ完了通知を受信して、端末情報解放指示を無線基地局装置１０１Ｚへ送信する（ステップＳ７６）。
【０１１０】
次に、無線基地局装置１０１Ｚは、上位装置から端末情報解放指示を受信して、無線端末装置２０２に関する情報を解放し、上位装置へ端末情報解放完了通知を送信する（ステップＳ７８）。
【０１１１】
以上により、無線端末装置２０２の無線基地局装置１０１Ｚから無線基地局装置１０１Ａへのハンドオーバが完了する（ステップＳ８０）。
【０１１２】
次に、無線基地局装置１０１Ａは、他の無線基地局装置から送信される無線信号の受信電力を無線端末装置２０２に測定させるための測定開始要求を無線端末装置２０２へ送信する（ステップＳ８２）。
【０１１３】
次に、無線端末装置２０２は、無線基地局装置１０１Ａから測定開始要求を受信して、電力測定処理を開始し、他の無線基地局装置から送信される無線信号の受信電力を測定しながら、セルＣＺの圏内からセルＣＡの圏内へ移動する（ステップＳ８４）。
【０１１４】
無線端末装置２０２は、たとえば受信電力の測定を定期的に行ない、無線基地局装置１０１Ａとの通信状態が悪くなった場合、および無線基地局装置１０１Ａ以外の他の無線基地局装置との通信状態が良くなった場合に、測定結果通知を無線基地局装置１０１Ａへ送信する（ステップＳ８６）。
【０１１５】
次に、無線端末装置２０２は、セルＣＡの圏内において他の無線基地局装置から送信される無線信号の受信電力を測定しながら、セルＣＡとセルＣＢとの重複領域へ移動する（ステップＳ８８）。
【０１１６】
無線端末装置２０２は、たとえば受信電力の測定を定期的に行ない、無線基地局装置１０１Ａとの通信状態が悪くなった場合、および無線基地局装置１０１Ａ以外の他の無線基地局装置との通信状態が良くなった場合に、測定結果通知を無線基地局装置１０１Ａへ送信する（ステップＳ９０）。
【０１１７】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ９２）。
【０１１８】
次に、無線基地局装置１０１Ａは、無線基地局装置１０１Ｂを示すハンドオーバ要求を、上位装置へ送信する（ステップＳ９４）。
【０１１９】
次に、上位装置は、無線基地局装置１０１Ａからハンドオーバ要求を受信して、無線基地局装置１０１Ｂへ当該ハンドオーバ要求を送信する（ステップＳ９６）。
【０１２０】
次に、無線基地局装置１０１Ｂは、上位装置からハンドオーバ要求を受信して、上位装置へ当該ハンドオーバ要求に対するハンドオーバ応答を送信する（ステップＳ９８）。
【０１２１】
次に、上位装置は、無線基地局装置１０１Ｂからハンドオーバ応答を受信して、無線基地局装置１０１Ａへハンドオーバ指示を送信する（ステップＳ１００）。
【０１２２】
ここで、ネットワーク側のハンドオーバの準備中、すなわち無線基地局装置１０１Ａおよび１０１Ｂが、上位装置を経由して上記のようなハンドオーバのためのメッセージの送受信を行っている間に、無線端末装置２０２が、セルＣＡの圏外、かつセルＣＢの圏内に移動する（ステップＳ１０２）。
【０１２３】
この無線端末装置２０２の移動により、無線基地局装置１０１Ａから送信されるハンドオーバを指示するためのＲＲＣコネクション再構成指示（ステップＳ１０４）が無線端末装置２０２に届かなくなり、ＲＬＦが発生してしまう（ステップＳ１０６）。
【０１２４】
次に、無線端末装置２０２は、ＲＬＦ発生の原因を特定するために、たとえば以下のような情報を保存する。すなわち、無線端末装置２０２は、ＲＬＦを検知すると、ＲＬＦが発生した時刻であるＲＬＦ時刻を取得する。次に、無線端末装置２０２は、取得したＲＬＦ時刻と前述したＨＯ時刻との差を計算することにより、サービング基地局である無線基地局装置１０１Ａに接続していた接続時間を求め、図示しない記憶部に保存する（ステップＳ１０８）。
【０１２５】
また、無線端末装置２０２は、ＲＬＦを検知すると、ＲＬＦ発生時における周辺の無線基地局装置からの無線信号の受信電力等を測定し、図示しない記憶部に保存する（ステップＳ１１０）。
【０１２６】
次に、無線端末装置２０２は、周辺の無線基地局装置からの無線信号の受信電力等の測定結果を基に再接続すべき無線基地局装置を探索し、探索した無線基地局装置１０１Ｂに再接続するために、ＲＲＣコネクション再確立要求（RRC Connection Reestablishment Request）を無線基地局装置１０１Ｂへ送信する（ステップＳ１１２）。この際、無線端末装置２０２は、ＲＲＣコネクション再確立要求の送信先である無線基地局装置１０１ＢのＥＣＧＩを、後述する再確立先セルＩＤとして図示しない記憶部に保存する。
【０１２７】
次に、無線基地局装置１０１Ｂは、無線端末装置２０２からＲＲＣコネクション再確立要求を受信して、ＲＲＣコネクション再確立応答を無線端末装置２０２へ送信する（ステップＳ１１４）。これにより、無線端末装置２０２および無線基地局装置１０１Ｂ間でＲＲＣコネクションが確立される。
【０１２８】
次に、無線端末装置２０２は、無線基地局装置１０１ＢへＲＲＣコネクション再確立完了通知（RRC Connection Reestablishment Complete）を送信する（ステップＳ１１６）。
【０１２９】
このＲＲＣコネクション再確立完了通知は、たとえば”rlf-InfoAvailable”というパラメータを含む。無線端末装置２０２は、このパラメータを設定してＲＲＣコネクション再確立完了通知を送信する。これにより、無線基地局装置１０１Ｂは、当該無線端末装置２０２についてＲＬＦの発生があったことを認識する。無線基地局装置１０１Ｂは、ＲＬＦの詳細な情報を取得するため、端末情報要求（UE Information Request）を無線端末装置２０２へ送信する（ステップＳ１１８）。
【０１３０】
次に、無線端末装置２０２は、無線基地局装置１０１Ｂから端末情報要求を受信して、ＲＬＦレポートを含む端末情報応答（UE Information Response）を無線基地局装置１０１Ｂへ送信する（ステップＳ１２０）。
【０１３１】
ＲＬＦレポートは、不適切なハンドオーバ動作が発生した原因を特定するために、ＲＬＦが発生した際におけるサービング基地局および周辺基地局から送信される無線信号の受信電力および受信品質を少なくとも含む。受信品質は、たとえばＳＩＲ（Signal to Interference Ratio）またはＳＩＮＲ（Signal to Interference and Noise power Ratio）である。
【０１３２】
また、ＲＬＦレポートは、上述したサービング基地局に接続していた接続時間、ＲＬＦ発生時におけるサービング基地局のＥＣＧＩであるＲＬＦ時サービングセルＩＤ（failedPCellID）、ＲＬＦ発生後最初にＲＲＣコネクション再確立の発生した無線基地局装置のＥＣＧＩである再確立先セルＩＤ（reestablishmentCellID）およびＲＬＦ発生前の最後のＲＲＣコネクション再構成指示を送信してきた無線基地局装置のＥＣＧＩであるＨＯ要求セルＩＤ（previousPCellID）を含んでもよい。また、ＲＬＦレポートには、ＲＬＦ時サービングセルＩＤを示すＥＣＧＩの代わりに、ネットワーク通信における物理層において無線基地局装置を区別するために用いられるＰＣＩ（Physical Cell ID）および当該無線基地局装置が送信する無線信号の周波数を用いてもよい。ここでは、ＲＬＦ時サービングセルＩＤは無線基地局装置１０１ＡのＩＤであり、再確立先セルＩＤは無線基地局装置１０１ＢのＩＤであり、ＨＯ要求セルＩＤは無線基地局装置１０１ＺのＩＤである。
【０１３３】
なお、無線基地局装置１０１Ｂは、無線端末装置２０２に再接続する処理を行う際に（ステップＳ１１２〜ステップＳ１２０）、再接続に用いられる情報の送受信を必要に応じて上位装置と行う。
【０１３４】
次に、無線基地局装置１０１Ｂは、無線端末装置２０２から受信したＲＬＦレポートを基に、後述する不適切なハンドオーバ動作の原因を特定するための動作手順に従うことにより、セルＣＡからセルＣＢへの“Ｔｏｏ  Ｌａｔｅ  ＨＯ”が発生したと判断する（ステップＳ１２２）。
【０１３５】
次に、無線基地局装置１０１Ｂは、セルＣＡから自己が形成するセルＣＢへの“Ｔｏｏ  Ｌａｔｅ  ＨＯ”の発生が抑制されるように、不適切なハンドオーバ動作の回避処理を実行する（ステップＳ１２４）。
【０１３６】
図５は、本発明の実施の形態に係る無線通信システムにおいて、不適切なハンドオーバ動作（Ｔｏｏ  Ｅａｒｌｙ  ＨＯ  ｃａｓｅ  １）が生じた状況の一例を示す図である。
【０１３７】
図５を参照して、無線基地局装置１０１Ｂの形成するセルＣＢは、無線基地局装置１０１Ｂの設置エリアを含むセルＣＢ１と、セルＣＡ内に形成された、無線基地局装置１０１Ｂの設置エリアを含まないセルＣＢ２とで構成される。
【０１３８】
図６は、本発明の実施の形態に係る無線通信システムにおける、不適切なハンドオーバ動作（Ｔｏｏ  Ｅａｒｌｙ  ＨＯ  ｃａｓｅ  １）およびその検知処理のシーケンスの一例を示す図である。
【０１３９】
“Ｔｏｏ  Ｅａｒｌｙ  ＨＯ  ｃａｓｅ  １”は、たとえば以下のような場合をいう。すなわち、無線端末装置２０２がハンドオーバ元の無線基地局装置からＲＲＣコネクション再構成指示を受信してハンドオーバ先の無線基地局装置に対する接続を試みるが、当該接続が成功する前にＲＬＦが短時間で発生し、かつ、ハンドオーバ先の無線基地局装置に対して、当該無線端末装置２０２の接続再確立が生じた場合である。
【０１４０】
“Ｔｏｏ  Ｅａｒｌｙ  ＨＯ  ｃａｓｅ  １”の検知方法は、たとえば以下のようになる。すなわち、ハンドオーバ先の無線基地局装置１０１Ｂは、ＲＬＦレポートを無線端末装置２０２から受信し、受信したＲＬＦレポートを解析することにより、“Ｔｏｏ  Ｅａｒｌｙ  ＨＯ”であることを検知する。
【０１４１】
ここでは、図５に示すように、無線端末装置２０２が、セルＣＡ内に位置し、無線基地局装置１０１Ａと通信中である状態から、セルＣＢ２内へ移動した場合（ステップＳ１５０）を想定する。
【０１４２】
図５および図６を参照して、まず、無線端末装置２０２は、無線基地局装置から送信される無線信号の受信電力を測定し、測定した受信電力の測定結果を示す測定結果通知をサービング基地局である無線基地局装置１０１Ａへ送信する（ステップＳ１５２）。
【０１４３】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ１５４）。
【０１４４】
次に、無線基地局装置１０１Ａは、無線基地局装置１０１Ｂを示すハンドオーバ要求を、上位装置へ送信する（ステップＳ１５６）。
【０１４５】
次に、上位装置は、無線基地局装置１０１Ａからハンドオーバ要求を受信して、無線基地局装置１０１Ｂへ当該ハンドオーバ要求を送信する（ステップＳ１５８）。
【０１４６】
次に、無線基地局装置１０１Ｂは、上位装置からハンドオーバ要求を受信して、上位装置へ当該ハンドオーバ要求に対するハンドオーバ応答を送信する（ステップＳ１６０）。
【０１４７】
次に、上位装置は、無線基地局装置１０１Ｂからハンドオーバ応答を受信して、無線基地局装置１０１Ａへハンドオーバ指示を送信する（ステップＳ１６２）。
【０１４８】
次に、無線基地局装置１０１Ａは、上位装置からハンドオーバ指示を受信して、無線端末装置２０２へＲＲＣコネクション再構成指示を送信する（ステップＳ１６４）。
【０１４９】
次に、無線端末装置２０２は、無線基地局装置１０１ＡからＲＲＣコネクション再構成指示を受信すると、ＲＲＣコネクション再構成指示を受けた時刻であるＨＯ時刻を取得し、図示しない記憶部に保存する（ステップＳ１６６）。この際、無線端末装置２０２は、ＲＲＣコネクション再構成指示を送信してきた無線基地局装置１０１ＡのＥＣＧＩおよびハンドオーバ先となる無線基地局装置１０１ＢのＥＣＧＩを、ＨＯ要求セルＩＤおよびＲＬＦ時サービングセルＩＤとしてそれぞれ図示しない記憶部に保存する。
【０１５０】
ここで、無線端末装置２０２が、セルＣＡの圏内かつセルＣＢ２の圏外に移動する（ステップＳ１６８）。
【０１５１】
そうすると、無線端末装置２０２は、無線基地局装置１０１Ｂと通信できなくなることから、ＲＬＦが発生してしまう（ステップＳ１７０）。
【０１５２】
次に、無線端末装置２０２は、ＲＬＦ発生の原因を特定するために、たとえば以下のような情報を保存する。すなわち、無線端末装置２０２は、ＲＬＦを検知すると、ＲＬＦが発生した時刻であるＲＬＦ時刻を取得する。次に、無線端末装置２０２は、取得したＲＬＦ時刻と前述したＨＯ時刻との差を計算することにより、サービング基地局である無線基地局装置１０１Ａに接続していた接続時間を求め、図示しない記憶部に保存する（ステップＳ１７２）。
【０１５３】
ここで、無線端末装置２０２が、セルＣＡの圏外かつセルＣＢ１の圏内に移動する（ステップＳ１７４）。
【０１５４】
また、無線端末装置２０２は、ＲＬＦ発生時における周辺の無線基地局装置から送信される無線信号の受信電力および受信品質などを測定し、図示しない記憶部に保存する（ステップＳ１７６）。
【０１５５】
次に、無線端末装置２０２は、周辺の無線基地局装置からの無線信号の受信電力等の測定結果を基に再接続すべき無線基地局装置を探索し、探索した無線基地局装置１０１Ｂに再接続するために、ＲＲＣコネクション再確立要求を無線基地局装置１０１Ｂへ送信する（ステップＳ１７８）。この際、無線端末装置２０２は、ＲＲＣコネクション再確立要求の送信先である無線基地局装置１０１ＢのＥＣＧＩを、再確立先セルＩＤとして図示しない記憶部に保存する。
【０１５６】
次に、無線基地局装置１０１Ｂは、無線端末装置２０２からＲＲＣコネクション再確立要求を受信して、ＲＲＣコネクション再確立応答を無線端末装置２０２へ送信する（ステップＳ１８０）。これにより、無線端末装置２０２および無線基地局装置１０１Ｂ間でＲＲＣコネクションが確立される。
【０１５７】
次に、無線端末装置２０２は、無線基地局装置１０１ＢへＲＲＣコネクション再確立完了通知を送信する（ステップＳ１８２）。
【０１５８】
このＲＲＣコネクション再確立完了通知は、たとえば”rlf-InfoAvailable”というパラメータを含む。無線端末装置２０２は、このパラメータを設定してＲＲＣコネクション再確立完了通知を送信する。これにより、無線基地局装置１０１Ｂは、当該無線端末装置２０２についてＲＬＦの発生があったことを認識する。無線基地局装置１０１Ｂは、ＲＬＦの詳細な情報を取得するため、端末情報要求を無線端末装置２０２へ送信する（ステップＳ１８４）。
【０１５９】
次に、無線端末装置２０２は、無線基地局装置１０１Ｂから端末情報要求を受信して、ＲＬＦレポートを含む端末情報応答を無線基地局装置１０１Ｂへ送信する（ステップＳ１８６）。このＲＬＦレポートにおける、ＲＬＦ時サービングセルＩＤは無線基地局装置１０１ＢのＩＤであり、再確立先セルＩＤは無線基地局装置１０１ＢのＩＤであり、ＨＯ要求セルＩＤは無線基地局装置１０１ＡのＩＤである。
【０１６０】
なお、無線基地局装置１０１Ｂは、無線端末装置２０２に再接続する処理を行う際に（ステップＳ１７８〜ステップＳ１８６）、再接続に用いられる情報の送受信を必要に応じて上位装置と行う。
【０１６１】
次に、無線基地局装置１０１Ｂは、無線端末装置２０２から受信したＲＬＦレポートを基に、後述する不適切なハンドオーバ動作の原因を特定するための動作手順に従うことにより、セルＣＡから自己が形成するセルＣＢへの“Ｔｏｏ  Ｅａｒｌｙ  ＨＯ”が発生したと判断する（ステップＳ１８８）。
【０１６２】
次に、無線基地局装置１０１Ｂは、セルＣＡからセルＣＢへの“Ｔｏｏ  Ｅａｒｌｙ  ＨＯ”の発生が抑制されるように、不適切なハンドオーバ動作の回避処理を実行する（ステップＳ１９０）。
【０１６３】
図７は、本発明の実施の形態に係る無線通信システムにおいて、不適切なハンドオーバ動作（Ｔｏｏ  Ｅａｒｌｙ  ＨＯ  ｃａｓｅ  ２）が生じた状況の一例を示す図である。
【０１６４】
図７を参照して、無線基地局装置１０１Ｂの形成するセルＣＢは、無線基地局装置１０１Ｂの設置エリアを含むセルＣＢ１と、セルＣＡ内に形成された、無線基地局装置１０１Ｂの設置エリアを含まないセルＣＢ２とで構成される。
【０１６５】
図８は、本発明の実施の形態に係る無線通信システムにおける、不適切なハンドオーバ動作（Ｔｏｏ  Ｅａｒｌｙ  ＨＯ  ｃａｓｅ  ２）およびその検知処理のシーケンスの一例を示す図である。
【０１６６】
“Ｔｏｏ  Ｅａｒｌｙ  ＨＯ  ｃａｓｅ  ２”は、たとえば以下のような場合をいう。すなわち、無線端末装置２０２がハンドオーバ先の無線基地局装置に対する接続を成功した後、ＲＬＦが短時間で発生し、かつ、ハンドオーバ元の無線基地局装置に対して、当該無線端末装置２０２の接続再確立が生じた場合である。
【０１６７】
“Ｔｏｏ  Ｅａｒｌｙ  ＨＯ  ｃａｓｅ  ２”の検知方法は、たとえば以下のようになる。すなわち、ハンドオーバ元の無線基地局装置１０１Ａは、ＲＬＦレポートを無線端末装置２０２から受信し、受信したＲＬＦレポートを解析することにより、“Ｔｏｏ  Ｅａｒｌｙ  ＨＯ  ｃａｓｅ  ２”であることを検知する。また、ハンドオーバ先の無線基地局装置１０１Ｂは、無線基地局装置１０１Ａから当該ＲＬＦレポートを受信する以外に、後述する動作手順により、“Ｔｏｏ  Ｅａｒｌｙ  ＨＯ  ｃａｓｅ  ２”であることを検知する。
【０１６８】
ここでは、図７に示すように、無線端末装置２０２が、セルＣＡ内に位置し、無線基地局装置１０１Ａと通信中である状態から、セルＣＢ２内へ移動した場合（ステップＳ２５０）を想定する。
【０１６９】
図７および図８を参照して、まず、無線端末装置２０２は、無線基地局装置から送信される無線信号の受信電力を測定し、測定した受信電力の測定結果を示す測定結果通知をサービング基地局である無線基地局装置１０１Ａへ送信する（ステップＳ２５２）。
【０１７０】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ２５４）。
【０１７１】
次に、無線基地局装置１０１Ａは、無線基地局装置１０１Ｂを示すハンドオーバ要求を、上位装置へ送信する（ステップＳ２５６）。
【０１７２】
次に、上位装置は、無線基地局装置１０１Ａからハンドオーバ要求を受信して、無線基地局装置１０１Ｂへ当該ハンドオーバ要求を送信する（ステップＳ２５８）。
【０１７３】
次に、無線基地局装置１０１Ｂは、上位装置からハンドオーバ要求を受信して、上位装置へ当該ハンドオーバ要求に対するハンドオーバ応答を送信する（ステップＳ２６０）。
【０１７４】
次に、上位装置は、無線基地局装置１０１Ｂからハンドオーバ応答を受信して、無線基地局装置１０１Ａへハンドオーバ指示を送信する（ステップＳ２６２）。
【０１７５】
次に、無線基地局装置１０１Ａは、上位装置からハンドオーバ指示を受信して、無線端末装置２０２へＲＲＣコネクション再構成指示を送信する（ステップＳ２６４）。
【０１７６】
次に、無線端末装置２０２は、無線基地局装置１０１ＡからＲＲＣコネクション再構成指示を受信すると、ＲＲＣコネクション再構成指示を受けた時刻であるＨＯ時刻を取得し、図示しない記憶部に保存する（ステップＳ２６６）。この際、無線端末装置２０２は、ＲＲＣコネクション再構成指示を送信してきた無線基地局装置１０１ＡのＥＣＧＩおよびハンドオーバ先となる無線基地局装置１０１ＢのＥＣＧＩを、ＨＯ要求セルＩＤおよびＲＬＦ時サービングセルＩＤとしてそれぞれ図示しない記憶部に保存する。
【０１７７】
また、無線基地局装置１０１Ａは、上位装置へ自己の通信状態等を示す状態通知を送信する（ステップＳ２６８）。
【０１７８】
次に、上位装置は、無線基地局装置１０１Ａから状態通知を受信して、無線基地局装置１０１Ｂへ無線端末装置２０２との通信内容等を示す状態通知を送信する（ステップＳ２７０）。
【０１７９】
また、無線端末装置２０２および無線基地局装置１０１Ｂ間でＲＲＣコネクションが確立されると、無線端末装置２０２は、無線基地局装置１０１ＢへＲＲＣコネクション再構成完了通知を送信する（ステップＳ２７２）。
【０１８０】
次に、無線基地局装置１０１Ｂは、他の無線基地局装置から送信される無線信号の受信電力を無線端末装置２０２に測定させるための測定開始要求を無線端末装置２０２へ送信する（ステップＳ２７４）。
【０１８１】
次に、無線端末装置２０２は、無線基地局装置１０１Ｂから測定開始要求を受信して、電力測定処理を開始し、セルＣＢ２の圏内において他の無線基地局装置から送信される無線信号の受信電力を測定する（ステップＳ２７８）。
【０１８２】
次に、無線端末装置２０２は、受信電力の測定を示す測定結果通知を無線基地局装置１０１Ｂへ送信する（ステップＳ２８０）。
【０１８３】
また、無線基地局装置１０１Ｂは、無線端末装置２０２からＲＲＣコネクション再構成完了通知を受信して、上位装置へハンドオーバ完了通知を送信する（ステップＳ２７６）。
【０１８４】
次に、上位装置は、無線基地局装置１０１Ｂからハンドオーバ完了通知を受信して、端末情報解放指示を無線基地局装置１０１Ａへ送信する（ステップＳ２８２）。
【０１８５】
次に、無線基地局装置１０１Ａは、上位装置から端末情報解放指示を受信して、無線端末装置２０２に関する情報（UE Context）を解放し、上位装置へ端末情報解放完了通知を送信する（ステップＳ２８４）。
【０１８６】
以上により、無線端末装置２０２の無線基地局装置１０１Ａから無線基地局装置１０１Ｂへのハンドオーバが完了する（ステップＳ２８６）。
【０１８７】
ここで、無線端末装置２０２が、セルＣＢ２の圏外かつセルＣＡの圏内に移動する（ステップＳ２８８）。
【０１８８】
そうすると、無線端末装置２０２は、無線基地局装置１０１Ｂと通信できなくなることから、ＲＬＦが発生してしまう（ステップＳ２９０）。
【０１８９】
次に、無線端末装置２０２は、ＲＬＦ発生の原因を特定するために、たとえば以下のような情報を保存する。すなわち、無線端末装置２０２は、ＲＬＦを検知すると、ＲＬＦが発生した時刻であるＲＬＦ時刻を取得する。次に、無線端末装置２０２は、取得したＲＬＦ時刻と前述したＨＯ時刻との差を計算することにより、サービング基地局である無線基地局装置１０１Ａに接続していた接続時間を求め、図示しない記憶部に保存する（ステップＳ２９２）。
【０１９０】
また、無線端末装置２０２は、ＲＬＦ発生時における周辺の無線基地局装置から送信される無線信号の受信電力および受信品質などを測定し、図示しない記憶部に保存する（ステップＳ２９４）。
【０１９１】
次に、無線端末装置２０２は、周辺の無線基地局装置からの無線信号の受信電力等の測定結果を基に再接続すべき無線基地局装置を探索し、探索した無線基地局装置１０１Ａに再接続するために、ＲＲＣコネクション再確立要求を無線基地局装置１０１Ａへ送信する（ステップＳ２９６）。この際、無線端末装置２０２は、ＲＲＣコネクション再確立要求の送信先である無線基地局装置１０１ＡのＥＣＧＩを、再確立先セルＩＤとして図示しない記憶部に保存する。
【０１９２】
次に、無線基地局装置１０１Ａは、当該無線端末装置２０２に関する情報（UE Context）を解放済みであり、保持していないことから、当該無線端末装置２０２からのＲＲＣコネクション再確立要求を受け入れることができず（ステップＳ２９８）、ＲＲＣコネクション再確立拒絶を当該無線端末装置２０２へ送信する（ステップＳ３００）。
【０１９３】
次に、無線端末装置２０２は、ＲＲＣコネクション再確立拒絶を無線基地局装置１０１Ａから受信すると、無線基地局装置１０１Ａと通常の接続手順をスタートさせる（ステップＳ３０２）。
【０１９４】
すなわち、まず、無線端末装置２０２は、ＲＲＣコネクション要求（RRC Connection Request）を無線基地局装置１０１Ａへ送信する（ステップＳ３０４）。
【０１９５】
次に、無線基地局装置１０１Ａは、無線端末装置２０２からＲＲＣコネクション要求を受信して、ＲＲＣコネクション情報（RRC Connection Setup）を無線端末装置２０２へ送信する（ステップＳ３０６）。
【０１９６】
次に、無線端末装置２０２は、無線基地局装置１０１ＡからＲＲＣコネクション情報を受信して、ＲＲＣコネクション完了通知（RRC Connection Setup Complete）を送信する（ステップＳ３０８）。
【０１９７】
次に、無線基地局装置１０１Ａは、無線端末装置２０２からＲＲＣコネクション完了通知を受信して、セキュリティ情報（Security Mode Command）を無線端末装置２０２へ送信する（ステップＳ３１０）。
【０１９８】
次に、無線端末装置２０２は、無線基地局装置１０１Ａからセキュリティ情報を受信して、セキュリティ完了通知（Security Mode Complete）を無線基地局装置１０１Ａへ送信する（ステップＳ３１２）。
【０１９９】
次に、無線基地局装置１０１Ａは、無線端末装置２０２へＲＲＣコネクション再構成指示を送信する（ステップＳ３１４）。
【０２００】
次に、無線端末装置２０２および無線基地局装置１０１Ａ間でＲＲＣコネクションが確立されると、無線端末装置２０２は、無線基地局装置１０１ＡへＲＲＣコネクション再構成完了通知を送信する（ステップＳ３１６）。
【０２０１】
ここで、ＲＲＣコネクション完了通知およびＲＲＣコネクション再構成完了通知は、たとえば”rlf-InfoAvailable”というパラメータを含む。無線端末装置２０２は、このパラメータを設定してＲＲＣコネクション完了通知およびＲＲＣコネクション再構成完了通知を送信する。これにより、無線基地局装置１０１Ａは、当該無線端末装置２０２についてＲＬＦの発生があったことを認識する。無線基地局装置１０１Ａは、ＲＬＦの詳細な情報を取得するため、端末情報要求を無線端末装置２０２へ送信する（ステップＳ３１８）。
【０２０２】
次に、無線端末装置２０２は、無線基地局装置１０１Ａから端末情報要求を受信して、ＲＬＦレポートを含む端末情報応答を無線基地局装置１０１Ａへ送信する（ステップＳ３２０）。このＲＬＦレポートにおける、ＲＬＦ時サービングセルＩＤは無線基地局装置１０１ＢのＩＤであり、再確立先セルＩＤは無線基地局装置１０１ＡのＩＤであり、ＨＯ要求セルＩＤは無線基地局装置１０１ＡのＩＤである。
【０２０３】
なお、無線基地局装置１０１Ｂは、無線端末装置２０２に再接続する処理を行う際に（ステップＳ３０４〜ステップＳ３２０）、再接続に用いられる情報の送受信を必要に応じて上位装置と行う。
【０２０４】
次に、無線基地局装置１０１Ａは、無線端末装置２０２から受信したＲＬＦレポートを基に、後述する不適切なハンドオーバ動作の原因を特定するための動作手順に従うことにより、自己が形成するセルＣＡからセルＣＢへの“Ｔｏｏ  Ｅａｒｌｙ  ＨＯ”が発生したと判断する（ステップＳ３２２）。
【０２０５】
次に、無線基地局装置１０１Ａは、セルＣＡからセルＣＢへの“Ｔｏｏ  Ｅａｒｌｙ  ＨＯ”の発生が抑制されるように、ハンドオーバ動作の最適化処理を実行する（ステップＳ３２４）。
【０２０６】
図９は、本発明の実施の形態に係る無線通信システムにおいて、不適切なハンドオーバ動作（ＨＯ  ｔｏ  Ｗｒｏｎｇ  Ｃｅｌｌ）が生じた状況の一例を示す図である。
【０２０７】
図９を参照して、無線通信システムは、図１に示す無線通信システムと比べて、さらに、無線基地局装置１０１Ｃを備える。無線基地局装置１０１Ｃは、たとえばフェムト基地局、ピコ基地局またはマクロ基地局である。
【０２０８】
無線基地局装置１０１Ｃは、セルＣＣを形成し、セルＣＣ内に存在する無線端末装置２０２と無線信号を送受信することにより、当該無線端末装置２０２と通信することが可能である。
【０２０９】
図１０は、本発明の実施の形態に係る無線通信システムにおける、不適切なハンドオーバ動作（ＨＯ  ｔｏ  Ｗｒｏｎｇ  Ｃｅｌｌ）およびその検知処理のシーケンスの一例を示す図である。
【０２１０】
“ＨＯ  ｔｏ  Ｗｒｏｎｇ  Ｃｅｌｌ”は、たとえば以下のような場合をいう。すなわち、無線端末装置２０２がハンドオーバ先の無線基地局装置との接続に成功した後、短時間でＲＬＦが発生し、かつハンドオーバ元およびハンドオーバ先の無線基地局装置以外の無線基地局装置に対する、無線端末装置２０２の接続再確立が生じた場合である。
【０２１１】
“ＨＯ  ｔｏ  Ｗｒｏｎｇ  Ｃｅｌｌ”の検知方法は、たとえば以下のようになる。すなわち、再接続先の無線基地局装置１０１Ｃは、ＲＬＦレポートを無線端末装置２０２から受信し、受信したＲＬＦレポートを解析することにより、無線基地局装置１０１Ａによる“ＨＯ  ｔｏ  Ｗｒｏｎｇ  Ｃｅｌｌ”であることを検知する。
【０２１２】
ここでは、図９に示すように、無線端末装置２０２が、セルＣＡ内に位置し、無線基地局装置１０１Ａと通信中である状態から、仮想セルＣＢＶおよびセルＣＡの重複領域へ移動した場合（ステップＳ３５０）を想定する。仮想セルＣＢＶは、無線基地局装置１０１Ａから無線基地局装置１０１Ｂへのハンドオーバを促進するために、パラメータであるオフセットに従ってセルＣＢから拡大された仮想的なセルである。この場合、オフセットは、無線基地局装置１０１Ａの保持するパラメータである。
【０２１３】
図９および図１０を参照して、まず、無線端末装置２０２は、各無線基地局装置から送信される無線信号の受信電力を測定し、測定した受信電力の測定結果を示す測定結果通知を無線基地局装置１０１Ａへ送信する（ステップＳ３５２）。
【０２１４】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ３５４）。
【０２１５】
次に、無線基地局装置１０１Ａは、無線基地局装置１０１Ｂを示すハンドオーバ要求を、上位装置へ送信する（ステップＳ３５６）。
【０２１６】
次に、上位装置は、無線基地局装置１０１Ａからハンドオーバ要求を受信して、無線基地局装置１０１Ｂへ当該ハンドオーバ要求を送信する（ステップＳ３５８）。
【０２１７】
次に、無線基地局装置１０１Ｂは、上位装置からハンドオーバ要求を受信して、上位装置へ当該ハンドオーバ要求に対するハンドオーバ応答を送信する（ステップＳ３６０）。
【０２１８】
次に、上位装置は、無線基地局装置１０１Ｂからハンドオーバ応答を受信して、無線基地局装置１０１Ａへハンドオーバ指示を送信する（ステップＳ３６２）。
【０２１９】
次に、無線基地局装置１０１Ａは、上位装置からハンドオーバ指示を受信して、無線端末装置２０２へＲＲＣコネクション再構成指示を送信する（ステップＳ３６４）。
【０２２０】
次に、無線端末装置２０２は、無線基地局装置１０１ＡからＲＲＣコネクション再構成指示を受信すると、ＲＲＣコネクション再構成指示を受けた時刻であるＨＯ時刻を取得し、図示しない記憶部に保存する（ステップＳ３６６）。この際、無線端末装置２０２は、ＲＲＣコネクション再構成指示を送信してきた無線基地局装置１０１ＡのＥＣＧＩおよびハンドオーバ先となる無線基地局装置１０１ＢのＥＣＧＩを、ＨＯ要求セルＩＤおよびＲＬＦ時サービングセルＩＤとしてそれぞれ図示しない記憶部に保存する。
【０２２１】
また、無線基地局装置１０１Ａは、上位装置へ自己の通信状態等を示す状態通知を送信する（ステップＳ３６８）。
【０２２２】
次に、上位装置は、無線基地局装置１０１Ａから状態通知を受信して、無線基地局装置１０１Ｂへ無線端末装置２０２との通信内容等を示す状態通知を送信する（ステップＳ３７０）。
【０２２３】
また、無線端末装置２０２および無線基地局装置１０１Ｂ間でＲＲＣコネクションが確立されると、無線端末装置２０２は、無線基地局装置１０１ＢへＲＲＣコネクション再構成完了通知を送信する（ステップＳ３７２）。
【０２２４】
次に、無線基地局装置１０１Ｂは、無線端末装置２０２からＲＲＣコネクション再構成完了通知を受信して、上位装置へハンドオーバ完了通知を送信する（ステップＳ３７４）。
【０２２５】
次に、上位装置は、無線基地局装置１０１Ｂからハンドオーバ完了通知を受信して、端末情報解放指示を無線基地局装置１０１Ａへ送信する（ステップＳ３７６）。
【０２２６】
次に、無線基地局装置１０１Ａは、上位装置から端末情報解放指示を受信して、無線端末装置２０２に関する情報を解放し、上位装置へ端末情報解放完了通知を送信する（ステップＳ３７８）。
【０２２７】
以上により、無線端末装置２０２の無線基地局装置１０１Ａから無線基地局装置１０１Ｂへのハンドオーバが完了する（ステップＳ３８０）。
【０２２８】
ここで、無線端末装置２０２が、無線基地局装置１０１Ｂから測定結果開始要求を受信する前に、セルＣＢの圏外、かつ仮想セルＣＢＶおよびセルＣＣの圏内に移動する（ステップＳ３８２）。
【０２２９】
そうすると、無線端末装置２０２は、無線基地局装置１０１Ｃから送信される無線信号の干渉が大きく、無線基地局装置１０１Ｂと通信できなくなることから、ＲＬＦが発生してしまう（ステップＳ３８４）。
【０２３０】
次に、無線端末装置２０２は、ＲＬＦ発生の原因を特定するために、たとえば以下のような情報を保存する。すなわち、無線端末装置２０２は、ＲＬＦを検知すると、ＲＬＦが発生した時刻であるＲＬＦ時刻を取得する。次に、無線端末装置２０２は、取得したＲＬＦ時刻と前述したＨＯ時刻との差を計算することにより、サービング基地局である無線基地局装置１０１Ｂに接続していた接続時間を求め、図示しない記憶部に保存する（ステップＳ３８６）。
【０２３１】
また、無線端末装置２０２は、ＲＬＦ発生時における周辺の無線基地局装置から送信される無線信号の受信電力および受信品質などを測定し、図示しない記憶部に保存する（ステップＳ３８８）。
【０２３２】
次に、無線端末装置２０２は、周辺の無線基地局装置からの無線信号の受信電力等の測定結果を基に再接続すべき無線基地局装置を探索し、探索した無線基地局装置１０１Ｃに再接続するために、ＲＲＣコネクション再確立要求を無線基地局装置１０１Ｃへ送信する（ステップＳ３９０）。この際、無線端末装置２０２は、ＲＲＣコネクション再確立要求の送信先である無線基地局装置１０１ＣのＥＣＧＩを、再確立先セルＩＤとして図示しない記憶部に保存する。
【０２３３】
次に、無線基地局装置１０１Ｃは、当該無線端末装置２０２に関する情報（UE Context）を保持していないことから、当該無線端末装置２０２からのＲＲＣコネクション再確立要求を受け入れることができず（ステップＳ３９２）、ＲＲＣコネクション再確立拒絶を当該無線端末装置２０２へ送信する（ステップＳ３９４）。
【０２３４】
次に、無線端末装置２０２は、ＲＲＣコネクション再確立拒絶を無線基地局装置１０１Ｃから受信して、無線基地局装置１０１Ｃと通常の接続手順をスタートさせる（ステップＳ３９６）。
【０２３５】
すなわち、まず、無線端末装置２０２は、ＲＲＣコネクション要求を無線基地局装置１０１Ｃへ送信する（ステップＳ３９８）。
【０２３６】
次に、無線基地局装置１０１Ｃは、無線端末装置２０２からＲＲＣコネクション要求を受信して、ＲＲＣコネクション情報を無線端末装置２０２へ送信する（ステップＳ４００）。
【０２３７】
次に、無線端末装置２０２は、無線基地局装置１０１ＣからＲＲＣコネクション情報を受信して、ＲＲＣコネクション完了通知を送信する（ステップＳ４０２）。
【０２３８】
次に、無線基地局装置１０１Ｃは、無線端末装置２０２からＲＲＣコネクション完了通知を受信して、セキュリティ情報を無線端末装置２０２へ送信する（ステップＳ４０４）。
【０２３９】
次に、無線端末装置２０２は、無線基地局装置１０１Ｃからセキュリティ情報を受信して、セキュリティ完了通知を無線基地局装置１０１Ｃへ送信する（ステップＳ４０６）。
【０２４０】
次に、無線基地局装置１０１Ｃは、無線端末装置２０２へＲＲＣコネクション再構成指示を送信する（ステップＳ４０８）。
【０２４１】
次に、無線端末装置２０２および無線基地局装置１０１Ｃ間でＲＲＣコネクションが確立されると、無線端末装置２０２は、無線基地局装置１０１ＣへＲＲＣコネクション再構成完了通知を送信する（ステップＳ４１０）。
【０２４２】
ここで、ＲＲＣコネクション完了通知およびＲＲＣコネクション再構成完了通知は、たとえば“rlf-InfoAvailable”というパラメータを含む。無線端末装置２０２は、このパラメータを設定してＲＲＣコネクション完了通知およびＲＲＣコネクション再構成完了通知を送信する。これにより、無線基地局装置１０１Ｃは、当該無線端末装置２０２についてＲＬＦの発生があったことを認識する。無線基地局装置１０１Ｃは、ＲＬＦの詳細な情報を取得するため、端末情報要求を無線端末装置２０２へ送信する（ステップＳ４１２）。
【０２４３】
次に、無線端末装置２０２は、無線基地局装置１０１Ｃから端末情報要求を受信して、ＲＬＦレポートを含む端末情報応答を無線基地局装置１０１Ｃへ送信する（ステップＳ４１４）。このＲＬＦレポートにおける、ＲＬＦ時サービングセルＩＤは無線基地局装置１０１ＢのＩＤであり、再確立先セルＩＤは無線基地局装置１０１ＣのＩＤであり、ＨＯ要求セルＩＤは無線基地局装置１０１ＡのＩＤである。
【０２４４】
なお、無線基地局装置１０１Ｃは、無線端末装置２０２に再接続する処理を行う際に（ステップＳ３９８〜ステップＳ４１４）、再接続に用いられる情報の送受信を必要に応じて上位装置と行う。
【０２４５】
次に、無線基地局装置１０１Ｃは、無線端末装置２０２から受信したＲＬＦレポートを基に、後述する不適切なハンドオーバ動作の原因を特定するための動作手順に従うことにより、セルＣＡからセルＣＢへの“ＨＯ  ｔｏ  Ｗｒｏｎｇ  Ｃｅｌｌ”が発生したと判断する（ステップＳ４１６）。
【０２４６】
次に、無線基地局装置１０１Ｃは、ハンドオーバレポートを上位装置へ送信する（ステップＳ４１８）。このハンドオーバレポートは、たとえば“Ｈａｎｄｏｖｅｒ  Ｒｅｐｏｒｔ  Ｔｙｐｅ”というパラメータを含む。無線基地局装置１０１Ｃは、このパラメータを所定値に設定することにより、“ＨＯ  ｔｏ  Ｗｒｏｎｇ  Ｃｅｌｌ”を上位装置経由で無線基地局装置１０１Ａに通知する。
【０２４７】
次に、上位装置は、無線基地局装置１０１Ｃからハンドオーバレポートを受信して、無線基地局装置１０１Ａへ当該ハンドオーバレポートを送信する（ステップＳ４２０）。
【０２４８】
次に、無線基地局装置１０１Ａは、上位装置経由で無線基地局装置１０１Ｃから当該ハンドオーバレポートを受信して、自己が形成するセルＣＡからセルＣＢへの“ＨＯ  ｔｏ  Ｗｒｏｎｇ  Ｃｅｌｌ”が発生したことを認識し（ステップＳ４２２）、“ＨＯ  ｔｏ  Ｗｒｏｎｇ  Ｃｅｌｌ”の発生が抑制されるように、ハンドオーバ動作の最適化処理を実行する（ステップＳ４２４）。
【０２４９】
［無線基地局装置］
図１１は、本発明の実施の形態に係る無線基地局装置の構成を示す図である。
図１１を参照して、無線基地局装置１０１は、アンテナ９１と、サーキュレータ９２と、無線受信部９３と、無線送信部９４と、信号処理部９５と、制御部９８とを備える。信号処理部９５は、受信信号処理部９６と、送信信号処理部９７とを含む。信号処理部９５および制御部９８は、ＣＰＵ（Central Processing Unit）またはＤＳＰ（Digital Signal Processor）等によって実現される。
【０２５０】
サーキュレータ９２は、アンテナ９１において受信された無線端末装置２０２からの無線信号を無線受信部９３へ出力し、また、無線送信部９４から受けた無線信号をアンテナ９１へ出力する。
【０２５１】
アンテナ９１は、少なくとも送信に関しては指向性を持ち、無線信号のビーム強度が強くなる方向を変えることができる。
【０２５２】
無線受信部９３は、サーキュレータ９２から受けた無線信号をベースバンド信号またはＩＦ（Intermediate Frequency）信号に周波数変換し、この周波数変換した信号をデジタル信号に変換して受信信号処理部９６へ出力する。
【０２５３】
受信信号処理部９６は、無線受信部９３から受けたデジタル信号に対してＣＤＭＡ（Code Division Multiple Access）方式における逆拡散等の信号処理を行ない、この信号処理後のデジタル信号の一部または全部を所定のフレームフォーマットに変換してコアネットワーク側へ送信する。
【０２５４】
送信信号処理部９７は、コアネットワーク側から受信した通信データを所定のフレームフォーマットに変換した通信データまたは自ら生成した通信データに対してＯＦＤＭＡ（Orthogonal Frequency Division Multiple Access）方式におけるＩＦＦＴ（Inverse Fast Fourier Transform）等の信号処理を行ない、この信号処理後のデジタル信号を無線送信部９４へ出力する。
【０２５５】
無線送信部９４は、送信信号処理部９７から受けたデジタル信号をアナログ信号に変換し、変換したアナログ信号を無線信号に周波数変換した後、アンプによる増幅を行い、サーキュレータ９２へ出力する。
【０２５６】
制御部９８は、無線基地局装置１０１における各ユニットおよびコアネットワークとの間で各種情報をやり取りする。
【０２５７】
図１２は、本発明の実施の形態に係る無線基地局装置における制御部の構成を示す図である。
【０２５８】
図１２を参照して、制御部９８は、監視部１１と、時間計測部１２と、受信品質情報取得部１３と、移動動作検知部１４と、受信電力情報取得部１５と、回避処理部１６とを含む。
【０２５９】
監視部１１は、無線端末装置２０２からの測定結果通知またはＣＱＩ（Channel Quality Indicator）レポートの到着を予定し、測定結果通知またはＣＱＩレポートの到着を監視する。
【０２６０】
時間計測部１２は、無線端末装置２０２からハンドオーバが完了したことを示すＲＲＣコネクション再構成完了通知を受信してから、無線端末装置２０２からの測定結果通知またはＣＱＩレポートが監視部１１の予定に反して自己の無線基地局装置に到着しなくなるまでの継続時間を計測する。そして、時間計測部１２は、計測した継続時間を移動動作検知部１４へ通知する。
【０２６１】
受信品質情報取得部１３は、無線端末装置２０２により送信された測定結果通知またはＣＱＩレポートを基に受信品質を求める。そして、受信品質情報取得部１３は、求めた受信品質を移動動作検知部１４へ通知する。
【０２６２】
移動動作検知部１４は、無線端末装置２０２により送信されたＲＬＦレポート、受信品質情報取得部１３により通知された受信品質または時間計測部１２により通知された継続時間を基に、たとえば“Ｔｏｏ  Ｅａｒｌｙ  ＨＯ”または“Ｔｏｏ  Ｌａｔｅ  ＨＯ”等の不適切なハンドオーバ動作の発生を検知する。そして、移動動作検知部１４は、検知した結果を示す検知結果を回避処理部１６へ出力する。
【０２６３】
受信電力情報取得部１５は、無線端末装置２０２により測定された受信電力がサービング基地局から送信されるハンドオーバ要求に含まれる場合、以下の動作を行う。すなわち、受信電力情報取得部１５は、無線端末装置２０２における、サービング基地局が送信する無線信号の受信電力および自己の無線基地局装置が送信する無線信号の受信電力の差である受信電力差を求める。
【０２６４】
また、受信電力情報取得部１５は、サービング基地局が送信する無線信号の無線端末装置２０２における受信品質を求めてもよい。次に、受信電力情報取得部１５は、求めた受信電力差または受信品質を回避処理部１６へ出力する。
【０２６５】
回避処理部１６は、移動動作検知部１４から受けた検知結果、または受信電力情報取得部１５から受けた受信電力差または受信品質に基づいて、不適切なハンドオーバ動作の発生を回避するための処理を行う。
【０２６６】
回避処理部１６は、たとえば不適切なハンドオーバ動作を引き起こした無線基地局装置１０１からハンドオーバ要求を受信すると、当該ハンドオーバ要求に対する応答であるハンドオーバ応答を当該無線基地局装置１０１へ送信するタイミングを前後させる。
【０２６７】
また、回避処理部１６は、たとえば移動動作検知部１４がハンドオーバ要求を受信した際に求めた受信電力差または受信品質を受けると、受信電力差が所定のしきい値以上または受信品質が良い場合には当該ハンドオーバを許可しないと判断し、ハンドオーバ応答を送信しない。一方、回避処理部１６は、受信電力差が所定のしきい値未満または受信品質が悪い場合には当該ハンドオーバを許可すべきと判断し、ハンドオーバ応答を送信する。
【０２６８】
また、回避処理部１６は、移動動作検知部１４により検知された“Ｔｏｏ  Ｅａｒｌｙ  ＨＯ”または“Ｔｏｏ  Ｌａｔｅ  ＨＯ”の発生状況に応じて、所定のしきい値を変える。
【０２６９】
回避処理部１６は、不適切なハンドオーバ動作を引き起こした無線基地局装置１０１が形成するセルから自己の無線基地局装置１０１が形成するセルへの無線端末装置２０２のハンドオーバを行う際に、自己の無線基地局装置１０１が送信する無線信号の無線端末装置２０２における干渉を制御する。
【０２７０】
たとえば、回避処理部１６は、無線送信部９４におけるアンプの増幅率を増減することにより自己が送信する無線信号の送信電力を調整し、自己の無線基地局が送信する無線信号の無線端末装置２０２における干渉を制御する。
【０２７１】
また、回避処理部１６は、たとえば送信信号処理部９７において通信データを所定のフレームフォーマットに変換することにより一つのフレームを作成する際に、後述するＡＢＳ（Almost Blank Sub-frame）とするサブフレームの数を調整することにより、自己の無線基地局が送信する無線信号の無線端末装置２０２における干渉を制御する。
【０２７２】
また、回避処理部１６は、たとえば送信信号処理部９７においてＯＦＤＭＡ方式で無線信号の送信に関するリソースを時間軸方向と周波数軸方向に分割する際に、後述するブランクリソースブロック（Blank Resource Block）またはブランクキャリア（Blank Carrier）の量を調整することにより、自己の無線基地局が送信する無線信号の無線端末装置２０２における干渉を制御する。
【０２７３】
また、回避処理部１６は、たとえばアンテナ９１の指向性を調整することにより、自己の無線基地局が送信する無線信号の無線端末装置２０２における干渉を制御する。
【０２７４】
［不適切なハンドオーバ動作の原因の特定］
次に、本発明の実施の形態に係る無線基地局装置が不適切なハンドオーバ動作の原因の特定を行なう際の動作について詳細に説明する。
【０２７５】
図１３は、本発明の実施の形態に係る無線基地局装置が不適切なハンドオーバ動作の原因を特定するための動作手順を定めたフローチャートである。
【０２７６】
無線端末装置２０２は、ＲＬＦが発生した後、最初に再接続した無線基地局装置１０１へＲＬＦレポートを送信する。ＲＬＦレポートを受信した無線基地局装置１０１は、ＲＬＦレポートが接続時間、ＲＬＦ時サービングセルＩＤ、再確立先セルＩＤおよびＨＯ要求セルＩＤを含む場合、以下の動作手順に従って不適切なハンドオーバ動作の原因を特定する。
【０２７７】
ＲＬＦレポートを受信した無線基地局装置１０１は、接続時間が所定のしきい値より大きいと判定した場合（ステップＳ４５２でＮＯ）、ＲＬＦ時サービングセルＩＤにより示されるサービング基地局が形成するセルから再確立先セルＩＤにより示されるターゲット基地局が形成するセルへの“Ｔｏｏ  Ｌａｔｅ  ＨＯ”であると特定する（ステップＳ４５４）。
【０２７８】
また、無線端末装置２０２は、ＲＬＦ発生後最初に再接続した無線端末装置１０１、すなわち再確立先セルＩＤにより示される無線端末装置１０１へＲＬＦレポートを送信する。従って、ＲＬＦレポートを受信した無線基地局装置１０１は、ＲＬＦ時サービングセルＩＤにより示されるサービング基地局が形成するセルから自己が形成するセルへの“Ｔｏｏ  Ｌａｔｅ  ＨＯ”であると特定する。
【０２７９】
たとえば、図３および図４に示した場合において、接続時間は、無線端末装置２０２がセルＣＡの圏内に滞在していた時間となる。この場合、無線端末装置２０２はセルＣＡの圏内にしきい値より長い時間滞在していたことになる。また、ＲＬＦ時サービングセルＩＤは無線基地局装置１０１ＡのＩＤを示し、再確立先セルＩＤは無線基地局装置１０１ＢのＩＤを示し、ＨＯ要求セルＩＤは無線基地局装置１０１ＺのＩＤを示す。従って、無線基地局装置１０１Ｂは、ＲＬＦ発生後無線端末装置２０２からＲＬＦレポートを受信し、セルＣＡから自己が形成するセルＣＢへの“Ｔｏｏ  Ｌａｔｅ  ＨＯ”であると判断する。
【０２８０】
また、ＲＬＦレポートを受信した無線基地局装置１０１は、接続時間が所定のしきい値より小さい場合（ステップＳ４５２でＹＥＳ）、再確立先セルＩＤおよびＨＯ要求セルＩＤが同じであるかどうか判定する（ステップＳ４５６）。
【０２８１】
ＲＬＦレポートを受信した無線基地局装置１０１は、再確立先セルＩＤおよびＨＯ要求セルＩＤが同じであると判定した場合（ステップＳ４５６でＹＥＳ）、ＨＯ要求セルＩＤにより示されるサービング基地局が形成するセルからＲＬＦ時サービングセルＩＤにより示されるターゲット基地局が形成するセルへの“Ｔｏｏ  Ｅａｒｌｙ  ＨＯ  ｃａｓｅ  ２”であると特定する（ステップＳ４５８）。
【０２８２】
また、無線端末装置２０２は、再確立先セルＩＤにより示される無線端末装置１０１へＲＬＦレポートを送信する。この場合、ＲＬＦレポートを受信した無線基地局装置１０１は、再確立先セルＩＤおよびＨＯ要求セルＩＤが同じであるので、自己が形成するセルからＲＬＦ時サービングセルＩＤにより示されるターゲット基地局が形成するセルへの“Ｔｏｏ  Ｅａｒｌｙ  ＨＯ  ｃａｓｅ  ２”であると特定する。
【０２８３】
たとえば、図７および図８に示した場合において、接続時間は、無線端末装置２０２がセルＣＢ２の圏内に滞在していた時間となる。この場合、無線端末装置２０２はセルＣＢ２の圏内にしきい値より短い時間滞在していたことになる。また、ＲＬＦ時サービングセルＩＤは無線基地局装置１０１ＢのＩＤを示し、再確立先セルＩＤは無線基地局装置１０１ＡのＩＤを示し、ＨＯ要求セルＩＤは無線基地局装置１０１ＡのＩＤを示す。従って、無線基地局装置１０１Ａは、ＲＬＦ発生後無線端末装置２０２からＲＬＦレポートを受信し、自己が形成するセルＣＡからセルＣＢへの“Ｔｏｏ  Ｅａｒｌｙ  ＨＯ”であると判断する。
【０２８４】
また、ＲＬＦレポートを受信した無線基地局装置１０１は、再確立先セルＩＤおよびＨＯ要求セルＩＤが同じでないと判定した場合（ステップＳ４５６でＮＯ）、再確立先セルＩＤおよびＲＬＦ時サービングセルＩＤが同じであるかどうか判定する（ステップＳ４６０）。
【０２８５】
ＲＬＦレポートを受信した無線基地局装置１０１は、再確立先セルＩＤおよびＲＬＦ時サービングセルＩＤが同じであると判定した場合（ステップＳ４６０でＹＥＳ）、ＨＯ要求セルＩＤにより示されるサービング基地局が形成するセルから再確立先セルＩＤにより示されるターゲット基地局が形成するセルへの“Ｔｏｏ  Ｅａｒｌｙ  ＨＯ  ｃａｓｅ  １”であると特定する（ステップＳ４６２）。
【０２８６】
また、無線端末装置２０２は、再確立先セルＩＤにより示される無線端末装置１０１へＲＬＦレポートを送信する。従って、ＲＬＦレポートを受信した無線基地局装置１０１は、ＨＯ要求セルＩＤにより示されるサービング基地局が形成するセルから自己が形成するセルへの“Ｔｏｏ  Ｅａｒｌｙ  ＨＯ  ｃａｓｅ  １”であると特定する。
【０２８７】
たとえば、図５および図６に示した場合において、接続時間は、無線端末装置２０２がセルＣＢ２の圏内に滞在していた時間となる。この場合、無線端末装置２０２はセルＣＢ２の圏内にしきい値より短い時間滞在していたことになる。また、ＲＬＦ時サービングセルＩＤは無線基地局装置１０１ＢのＩＤを示し、再確立先セルＩＤは無線基地局装置１０１ＢのＩＤを示し、ＨＯ要求セルＩＤは無線基地局装置１０１ＡのＩＤを示す。従って、無線基地局装置１０１Ｂは、ＲＬＦ発生後無線端末装置２０２からＲＬＦレポートを受信し、セルＣＡから自己が形成するセルＣＢへの“Ｔｏｏ  Ｅａｒｌｙ  ＨＯ”であると判断する。
【０２８８】
また、ＲＬＦレポートを受信した無線基地局装置１０１は、再確立先セルＩＤおよびＲＬＦ時サービングセルＩＤが同じでないと判定した場合（ステップＳ４６０でＮＯ）、ＨＯ要求セルＩＤにより示されるサービング基地局が形成するセルからＲＬＦ時サービングセルＩＤにより示されるターゲット基地局が形成するセルへの“ＨＯ  ｔｏ  Ｗｒｏｎｇ  Ｃｅｌｌ”であると特定する（ステップＳ４６４）。
【０２８９】
たとえば、図９および図１０に示した場合において、接続時間は、無線端末装置２０２がセルＣＢＶの圏内に滞在していた時間となる。この場合、無線端末装置２０２はセルＣＢＶの圏内にしきい値より短い時間滞在していたことになる。また、ＲＬＦ時サービングセルＩＤは無線基地局装置１０１ＢのＩＤを示し、再確立先セルＩＤは無線基地局装置１０１ＣのＩＤを示し、ＨＯ要求セルＩＤは無線基地局装置１０１ＡのＩＤを示す。従って、無線基地局装置１０１Ｃは、ＲＬＦ発生後無線端末装置２０２からＲＬＦレポートを受信し、セルＣＡからセルＣＢへの“ＨＯ  ｔｏ  Ｗｒｏｎｇ  Ｃｅｌｌ”であると判断する。
【０２９０】
以上の動作により、ＲＬＦ発生後無線端末装置２０２からＲＬＦレポートを受信した無線基地局装置１０１は、不適切なハンドオーバ動作の原因を特定することができる。
【０２９１】
また、無線基地局装置１０１は、受信したＲＬＦレポートにおいて接続時間、ＲＬＦ時サービングセルＩＤ、再確立先セルＩＤおよびＨＯ要求セルＩＤが含まれない場合、以下の解析を行う。すなわち、ＲＬＦレポートに含まれる、ＲＬＦが発生した際におけるサービング基地局および周辺基地局から送信される無線信号の、受信電力または受信品質を用いて不適切なハンドオーバ動作の原因を特定する。
【０２９２】
たとえば、ＲＬＦレポートにおけるサービング基地局の受信電力がターゲット基地局の受信電力より大きい場合、無線端末装置２０２は、ＲＬＦ発生時において、ターゲット基地局が送信する無線信号より大きな受信電力でサービング基地局が送信する無線信号を受信していたことになる。これから、無線基地局装置１０１は、サービング基地局が形成するセルからターゲット基地局が形成するセルへの“Ｔｏｏ  Ｅａｒｌｙ  ＨＯ”であると特定する。
【０２９３】
また、たとえば、ＲＬＦレポートにおけるサービング基地局の受信電力がターゲット基地局の受信電力より小さい場合、無線端末装置２０２は、ＲＬＦ発生時において、ターゲット基地局が送信する無線信号より小さな受信電力でサービング基地局が送信する無線信号を受信していたことになる。これから、無線基地局装置１０１は、サービング基地局が形成するセルからターゲット基地局が形成するセルへの“Ｔｏｏ  Ｌａｔｅ  ＨＯ”であると特定する。
【０２９４】
たとえば、ＲＬＦレポートにおけるサービング基地局の受信品質がターゲット基地局の受信品質より良い場合、無線端末装置２０２は、ＲＬＦ発生時において、ターゲット基地局が送信する無線信号より良い受信品質でサービング基地局が送信する無線信号を受信していたことになる。これから、無線基地局装置１０１は、サービング基地局が形成するセルからターゲット基地局が形成するセルへの“Ｔｏｏ  Ｅａｒｌｙ  ＨＯ”であると特定する。
【０２９５】
また、たとえば、ＲＬＦレポートにおけるサービング基地局の受信品質がターゲット基地局の受信品質より悪い場合、無線端末装置２０２は、ＲＬＦ発生時において、ターゲット基地局が送信する無線信号より悪い受信品質でサービング基地局が送信する無線信号を受信していたことになる。これから、無線基地局装置１０１は、サービング基地局が形成するセルからターゲット基地局が形成するセルへの“Ｔｏｏ  Ｌａｔｅ  ＨＯ”であると特定する。
【０２９６】
ところで、フェムト基地局は、たとえばＨｅＮＢ−ＧＷを経由してコアネットワークに接続するので、無線基地局装置間において直接情報をやりとりするためのＸ２インタフェースを使用できない場合がある。
【０２９７】
この場合、フェムト基地局は、他の無線基地局装置に対してハンドオーバ動作のタイミング制御に用いるパラメータを調整させることはできない。
【０２９８】
このため、サービング基地局に対してハンドオーバの最適化処理を行わせることができないという問題が生ずる。
【０２９９】
また、フェムト基地局は、たとえば図７および図８に示す“Ｔｏｏ  Ｅａｒｌｙ  ＨＯ  ｃａｓｅ  ２”において自己がターゲット基地局である場合に、自己にＲＬＦレポートが送信されないので不適切なハンドオーバ動作を検知できないという問題がある。
【０３００】
従って、無線基地局装置１０１は、不適切なハンドオーバ動作において自己がターゲット基地局である際に、自己にＲＬＦレポートが送信されなくても不適切なハンドオーバ動作を検知し、適切な対処を行うことにより不適切なハンドオーバ動作の発生を抑制できることが望まれる。
【０３０１】
たとえば無線端末装置２０２は、図３および図４に示す“Ｔｏｏ  Ｌａｔｅ  ＨＯ”において、ＲＬＦレポートをターゲット基地局である無線基地局装置１０１ＢへＲＬＦ発生後最初に送信する。無線基地局装置１０１Ｂは、受信したＲＬＦレポートを基に、セルＣＡから自己が形成するセルＣＢへの“Ｔｏｏ  Ｌａｔｅ  ＨＯ”であると特定する。
【０３０２】
無線基地局装置１０１Ｂは、Ｘ２インタフェースを使用できない状況では、後述するような自己の動作を調整することにより、不適切なハンドオーバ動作の発生を抑制する。これにより、無線基地局装置１０１Ｂは、Ｘ２インタフェースを使用することなく不適切なハンドオーバ動作の発生を抑制することができる。
【０３０３】
また、無線基地局装置１０１Ｂは、Ｘ２インタフェースを使用できる状況ではハンドオーバ動作のタイミング制御に必要なパラメータまたはＲＬＦレポートを無線基地局装置１０１Ａへ送信してもよい。そして、無線基地局装置１０１Ａが、ハンドオーバ動作のタイミング制御を行うことにより、不適切なハンドオーバ動作の発生を抑制する。
【０３０４】
また、たとえば図５および図６に示す“Ｔｏｏ  Ｅａｒｌｙ  ＨＯ  ｃａｓｅ  １”では、無線端末装置２０２は、ＲＬＦレポートをターゲット基地局である無線基地局装置１０１ＢへＲＬＦ発生後最初に送信する。無線基地局装置１０１Ｂは、受信したＲＬＦレポートを基に、セルＣＡから自己が形成するセルＣＢへの“Ｔｏｏ  Ｅａｒｌｙ  ＨＯ”であると特定する。
【０３０５】
無線基地局装置１０１Ｂは、Ｘ２インタフェースを使用できない状況では、後述するような自己の動作を調整することにより、不適切なハンドオーバ動作の発生を抑制する。これにより、無線基地局装置１０１Ｂは、Ｘ２インタフェースを使用することなく不適切なハンドオーバ動作の発生を抑制することができる。
【０３０６】
また、無線基地局装置１０１Ｂは、Ｘ２インタフェースを使用できる状況ではハンドオーバ動作のタイミング制御に必要なパラメータまたはＲＬＦレポートを無線基地局装置１０１Ａへ送信してもよい。そして、無線基地局装置１０１Ａが、ハンドオーバ動作のタイミング制御を行うことにより、不適切なハンドオーバ動作の発生を抑制する。
【０３０７】
また、たとえば図７および図８に示す“Ｔｏｏ  Ｅａｒｌｙ  ＨＯ  ｃａｓｅ  ２”では、無線端末装置２０２は、ＲＬＦレポートをサービング基地局である無線基地局装置１０１ＡへＲＬＦ発生後最初に送信する。無線基地局装置１０１Ａは、受信したＲＬＦレポートを基に、自己が形成するセルＣＡからセルＣＢへの“Ｔｏｏ  Ｅａｒｌｙ  ＨＯ”であると特定する。
【０３０８】
無線基地局装置１０１Ａは、パラメータ調整によるハンドオーバ動作のタイミング制御を行うことにより、不適切なハンドオーバ動作の発生を抑制する。また、この際、ターゲット基地局である無線基地局装置１０１Ｂが、以下に示す検知方法を用いて、サービング基地局が形成するセルから自己が形成するセルへの“Ｔｏｏ  Ｅａｒｌｙ  ＨＯ”を検知し、不適切なハンドオーバ動作の発生を抑制しても良い。これにより、無線基地局装置１０１Ｂは、不適切なハンドオーバ動作の発生を抑制することができる。
【０３０９】
［ターゲット基地局における“Ｔｏｏ  Ｅａｒｌｙ  ＨＯ”の検知］
図７および図８に示す“Ｔｏｏ  Ｅａｒｌｙ  ＨＯ  ｃａｓｅ  ２”の場合、ターゲット基地局である無線基地局装置１０１Ｂは、ＲＬＦ発生後無線端末装置２０２からＲＬＦレポートを受信することができない。このため、無線基地局装置１０１Ｂは、ＲＬＦレポートの代わりに測定結果通知またはＣＱＩレポートを利用して、不適切なハンドオーバ動作を検知する。
【０３１０】
図１４は、本発明の実施の形態に係るターゲット基地局において不適切なハンドオーバ動作（Ｔｏｏ  Ｅａｒｌｙ  ＨＯ）およびその検知処理のシーケンスの一例を示す図である。
【０３１１】
図１４を参照して、まず、図７および図８におけるステップＳ２５０からステップＳ２７２と同様に、無線基地局装置１０１Ａと通信していた無線端末装置２０２が、無線基地局装置１０１ＡによるＲＲＣ再構成指示に従い無線基地局装置１０１Ｂとの間でＲＲＣコネクションを確立し、ＲＲＣコネクション再構成完了通知を無線基地局装置１０１Ｂへ送信する。
【０３１２】
次に、無線端末装置２０２は、ＲＲＣコネクション再構成完了通知を無線基地局装置１０１Ｂへ送信する（ステップＳ５０２）。
【０３１３】
次に、無線基地局装置１０１Ｂは、無線端末装置２０２からＲＲＣコネクション再構成完了通知を受信すると、測定結果通知が所定の待機時間内に無線端末装置２０２から送信されてくるかどうかを計測するために、タイマをスタートさせる（ステップＳ５０４）。また、上記待機時間は、たとえば無線端末装置２０２が行う定期的な測定の周期の数割増し程度に設定する。
【０３１４】
次に、無線基地局装置１０１Ｂは、たとえば他の無線基地局装置から送信される無線信号の受信電力を無線端末装置２０２に定期的に測定させるための測定開始要求を無線端末装置２０２へ送信する（ステップＳ５０６）。なお、無線端末装置２０２が行う定期的な測定の周期は、無線基地局装置１０１Ｂが指定しても良いし、当該通信システムにおいて通常用いられる周期でも良い。
【０３１５】
また、無線基地局装置１０１Ｂは、無線端末装置２０２からＲＲＣコネクション再構成完了通知を受信して、上位装置へハンドオーバ完了通知を送信する（ステップＳ５０８）。
【０３１６】
次に、上位装置は、無線基地局装置１０１Ｂからハンドオーバ完了通知を受信して、端末情報解放指示を無線基地局装置１０１Ａへ送信する（ステップＳ５１０）。
【０３１７】
次に、無線基地局装置１０１Ａは、上位装置から端末情報解放指示を受信して、無線端末装置２０２に関する情報（UE Context）を解放し、上位装置へ端末情報解放完了通知を送信する（ステップＳ５１２）。
【０３１８】
この際、無線端末装置２０２は、無線基地局装置１０１Ｂから受信した測定開始要求に基づいて定期的に行う電力測定処理を開始し、他の無線基地局装置から送信される無線信号の受信電力を測定する（ステップＳ５１４）。
【０３１９】
次に、無線端末装置２０２は、この受信電力の定期的な測定結果を示す測定結果通知を無線基地局装置１０１Ｂへ送信する（ステップＳ５１６）。
【０３２０】
また、無線端末装置２０２は、受信電力を測定するステップＳ５１４において受信電力ではなく受信品質を定期的に測定しても良い。この際、無線端末装置２０２は、他の無線基地局装置から送信される無線信号の受信品質を測定する。
【０３２１】
この際、無線端末装置２０２は、測定した受信品質をＣＱＩ、すなわちＳＩＮＲを用いた以下の式により０〜１５の１６段階で表現される値により示す。たとえば、ＣＱＩ＝０の場合、無線端末装置２０２の受信品質が最も悪く、ＣＱＩ＝１５の場合、無線端末装置２０２の受信品質が最も良い。
ＣＱＩ＝ｍｉｎ（ｍａｘ（ｒｏｕｎｄ（（ＳＩＮＲ［ｄＢ］＋８）／１．８９２），０），１５）
【０３２２】
次に、無線端末装置２０２は、受信品質を示すＣＱＩを含むＣＱＩレポートを無線基地局装置１０１Ｂへ送信する。
【０３２３】
次に、無線基地局装置１０１Ｂは、無線端末装置２０２から定期的な測定結果通知またはＣＱＩレポートを受信すると、スタートさせておいたタイマを確認する。無線基地局装置１０１Ｂは、タイマが動作している場合、すなわちタイマをスタートさせてから待機時間を経過していない場合には、タイマを最初にスタートさせてからの経過時間を記録する。この際、無線基地局装置１０１Ｂは、無線端末装置２０２からの測定結果通知またはＣＱＩレポートが待機時間内に受信できているため当該タイマをリセットし、無線端末装置２０２から送信されてくる次の定期的な測定結果通知またはＣＱＩレポートの受信に備える（ステップＳ５１８）。
【０３２４】
次に、無線基地局装置１０１Ｂは、無線端末装置２０２からの測定結果通知またはＣＱＩレポートの受信を以って、当該無線端末装置２０２が自己と接続中であると判断する（ステップＳ５２０）。
【０３２５】
また、無線端末装置２０２は、定期的に行う受信電力または受信品質測定処理を開始し、他の無線基地局装置から送信される無線信号の受信電力または受信品質を測定する（ステップＳ５２２）。
【０３２６】
次に、無線端末装置２０２は、この測定結果を示す定期的な測定結果通知またはＣＱＩレポートを無線基地局装置１０１Ｂへ送信する（ステップＳ５２４）。
【０３２７】
次に、無線基地局装置１０１Ｂは、無線端末装置２０２から定期的な測定結果通知またはＣＱＩレポートを受信すると、スタートさせておいたタイマを確認する。無線基地局装置１０１Ｂは、タイマが動作している場合、すなわちタイマをリセットさせてから待機時間を経過していない場合には、タイマをリセットさせてからの経過時間を上記継続時間に加える。この際、無線基地局装置１０１Ｂは、上記継続時間が所定値未満である場合、当該タイマをリセットし、無線端末装置２０２から送信されてくる次の定期的な測定結果通知またはＣＱＩレポートの受信に備える（ステップＳ５２６）。なお、上記所定値は、たとえば測定結果通知またはＣＱＩレポートの送信周期の複数回分が設定される。
【０３２８】
次に、無線基地局装置１０１Ｂは、無線端末装置２０２からの測定結果通知またはＣＱＩレポートの受信を以って、当該無線端末装置２０２が自己と接続中であると判断する（ステップＳ５２８）。
【０３２９】
また、無線端末装置２０２は、定期的に行う受信電力または受信品質測定処理を開始し、他の無線基地局装置から送信される無線信号の受信電力または受信品質を測定する（ステップＳ５３０）。
【０３３０】
この際、無線端末装置２０２が、図７に示すステップＳ２８８と同様にセルＣＢ２の圏外かつセルＣＡの圏内に移動する（ステップＳ５３２）。
【０３３１】
そうすると、無線端末装置２０２は、無線基地局装置１０１Ｂと通信できなくなることから、ＲＬＦが発生してしまう。この場合、“Ｔｏｏ  Ｅａｒｌｙ  ＨＯ”が発生する（ステップＳ５３４）。
【０３３２】
無線端末装置２０２は、ＲＬＦが発生してしまったので定期的な測定結果通知またはＣＱＩレポートをタイマ動作中に無線基地局装置１０１Ｂへ送信することができない（ステップＳ５３６）。
【０３３３】
次に、無線基地局装置１０１Ｂは、待機時間が経過したのでタイマから計測終了の通知を受けると、上記継続時間にタイマの待機時間を加える（ステップＳ５３８）。
【０３３４】
次に、無線基地局装置１０１Ｂは、測定結果通知またはＣＱＩレポートを、タイマの待機時間内に受信できない場合、すなわち予定に反して受信できない場合に、無線端末装置２０２との通信が途絶したと判断する。そして、無線基地局装置１０１Ｂは、上記継続時間が所定値未満である場合、セルＣＡから自己が形成するセルＣＢへの“Ｔｏｏ  Ｅａｒｌｙ  ＨＯ”が発生したと判断する（ステップＳ５４０）。
【０３３５】
なお、無線基地局装置１０１Ｂは、上記継続時間が所定値以上まで継続して当該無線端末装置２０２が自己と接続中である場合、“Ｔｏｏ  Ｅａｒｌｙ  ＨＯ”の発生がなかったと判断し、当該検知処理を終了する。
【０３３６】
次に、無線基地局装置１０１Ｂは、“Ｔｏｏ  Ｅａｒｌｙ  ＨＯ”の発生が抑制されるように、不適切なハンドオーバ動作の回避処理を実行する（ステップＳ５４２）。
【０３３７】
以上の動作により、無線基地局装置１０１Ｂは、ＲＲＣコネクション再構成完了通知の受信後、定期的に無線端末装置２０２から送信される測定結果通知またはＣＱＩレポートを受信する継続時間が所定値未満である場合に、“Ｔｏｏ  Ｅａｒｌｙ  ＨＯ”の発生を検知することができる。
【０３３８】
図１５は、本発明の実施の形態に係るターゲット基地局において不適切なハンドオーバ動作（Ｔｏｏ  Ｅａｒｌｙ  ＨＯ）およびその検知処理のシーケンスの一例を示す図である。
【０３３９】
図１５を参照して、まず、図７および図８におけるステップＳ２５０からステップＳ２７２と同様に、無線基地局装置１０１Ａと通信していた無線端末装置２０２が、無線基地局装置１０１ＡによるＲＲＣ再構成指示に従い無線基地局装置１０１Ｂとの間でＲＲＣコネクションを確立し、ＲＲＣコネクション再構成完了通知を無線基地局装置１０１Ｂへ送信する。
【０３４０】
次に、無線端末装置２０２は、ＲＲＣコネクション再構成完了通知を無線基地局装置１０１Ｂへ送信する（ステップＳ５５２）。
【０３４１】
次に、無線基地局装置１０１Ｂは、無線端末装置２０２からＲＲＣコネクション再構成完了通知を受信すると、測定結果通知が所定時間内に無線端末装置２０２から送信されてくるかどうかを計測するために、タイマをスタートさせる（ステップＳ５５４）。
【０３４２】
次に、無線基地局装置１０１Ｂは、たとえば他の無線基地局装置から送信される無線信号の受信電力を無線端末装置２０２に定期的に測定させるための測定開始要求を無線端末装置２０２へ送信する（ステップＳ５５６）。なお、無線端末装置２０２が行う定期的な測定の周期は、無線基地局装置１０１Ｂが指定しても良いし、当該無線通信システムにおいて通常用いられる周期でも良い。
【０３４３】
また、無線基地局装置１０１Ｂは、無線端末装置２０２からＲＲＣコネクション再構成完了通知を受信して、上位装置へハンドオーバ完了通知を送信する（ステップＳ５５８）。
【０３４４】
次に、上位装置は、無線基地局装置１０１Ｂからハンドオーバ完了通知を受信して、端末情報解放指示を無線基地局装置１０１Ａへ送信する（ステップＳ５６０）。
【０３４５】
次に、無線基地局装置１０１Ａは、上位装置から端末情報解放指示を受信して、無線端末装置２０２に関する情報（UE Context）を解放し、上位装置へ端末情報解放完了通知を送信する（ステップＳ５６２）。
【０３４６】
この際、無線端末装置２０２は、無線基地局装置１０１Ｂから受信した測定開始要求に基づいて定期的に行う電力測定処理を開始し、他の無線基地局装置から送信される無線信号の受信電力を測定する（ステップＳ５６４）。
【０３４７】
次に、無線端末装置２０２は、この受信電力の定期的な測定結果を示す測定結果通知を無線基地局装置１０１Ｂへ送信する（ステップＳ５６６）。
【０３４８】
また、無線端末装置２０２は、受信電力を測定するステップＳ５６４において受信電力ではなく受信品質を定期的に測定しても良い。この際、無線端末装置２０２は、他の無線基地局装置から送信される無線信号の受信品質を測定する。
【０３４９】
次に、無線端末装置２０２は、測定した受信品質を示すＣＱＩレポートを無線基地局装置１０１Ｂへ送信する。
【０３５０】
次に、無線基地局装置１０１Ｂは、無線端末装置２０２から定期的な測定結果通知またはＣＱＩレポートを受信すると、スタートさせておいたタイマを確認し、タイマが動作している場合、すなわちタイマをスタートさせてから所定時間経過していない場合には、測定結果通知またはＣＱＩレポートを精査する（ステップＳ５６８）。
【０３５１】
また、無線基地局装置１０１Ｂは、ハンドオーバにより通信先を自己へ変更した無線端末装置２０２がハンドオーバ後最初に送信してくる測定結果通知またはＣＱＩレポートについては、所定時間に関係なく精査する。
【０３５２】
無線端末装置２０２は、ハンドオーバ中またはハンドオーバ直後に測定した受信電力または受信品質を記録した測定結果通知またはＣＱＩレポートを、ハンドオーバ先の無線基地局装置１０１Ｂへ、ハンドオーバ後最初に送信する。このため、無線基地局装置１０１Ｂは、ハンドオーバ時に近い無線端末装置２０２の通信状態についての情報を得ることができる。
【０３５３】
無線基地局装置１０１Ｂは、測定結果通知を受信した場合、当該測定結果通知に含まれる各無線基地局装置から送信される無線信号の受信電力を基に、たとえばＳＩＮＲで表される受信品質を求める。
【０３５４】
次に、無線基地局装置１０１Ｂは、測定結果通知またはＣＱＩレポートにおいて、自己の受信品質が悪い場合、セルＣＡから自己が形成するセルＣＢへの“Ｔｏｏ  Ｅａｒｌｙ  ＨＯ”が発生したと判断する（ステップＳ５７０）。
【０３５５】
また、より好ましくは、無線基地局装置１０１Ｂは、測定結果通知またはＣＱＩレポートにおいて、自己の受信品質が悪く、かつ無線基地局装置１０１Ａの受信品質が良い場合、セルＣＡから自己が形成するセルＣＢへの“Ｔｏｏ  Ｅａｒｌｙ  ＨＯ”が発生したと判断する。
【０３５６】
次に、無線基地局装置１０１Ｂは、“Ｔｏｏ  Ｅａｒｌｙ  ＨＯ”の発生が抑制されるように、不適切なハンドオーバ動作の回避処理を実行する（ステップＳ５７２）。
【０３５７】
以上の動作により、無線基地局装置１０１Ｂは、無線端末装置２０２からＲＲＣコネクション再構成完了通知を受信してから、無線端末装置２０２がハンドオーバ後最初に送信してくるまたは所定の時間内に送信してくる、測定結果通知またはＣＱＩレポートに含まれる受信品質に基づいて、“Ｔｏｏ  Ｅａｒｌｙ  ＨＯ”の発生を検知することができる。
【０３５８】
［無線リンク断（ＲＬＦ）の回避処理］
次に、本発明の実施の形態に係る無線基地局装置が、無線リンク断（ＲＬＦ）を回避する際に行う動作について詳細に説明する。
【０３５９】
以下に、無線基地局装置１０１Ｂが、無線基地局装置１０１Ａから受信するハンドオーバ要求（Handover Preparation）に対する応答であるハンドオーバ応答（Handover Preparation ACK）を送信するタイミングを制御することにより、ハンドオーバ動作のタイミングを制御する一例を示す。
【０３６０】
図１６は、本発明の実施の形態に係る無線基地局装置がハンドオーバ動作のタイミング制御を行う際の動作手順のシーケンスの一例を示す図である。
【０３６１】
図１６を参照して、まず、無線端末装置２０２は、無線基地局装置１０１Ａおよび無線基地局装置１０１Ｂを含む各無線基地局装置から送信される無線信号の受信電力を測定する（ステップＳ６５２）。
【０３６２】
次に、無線端末装置２０２は、測定した受信電力の測定結果を示す測定結果通知を無線基地局装置１０１Ａへ送信する（ステップＳ６５４）。
【０３６３】
次に、無線基地局装置１０１Ａは、無線端末装置２０２から受信した測定結果通知に基づいて、当該無線端末装置２０２のハンドオーバを行なうべきか否かを判断する。無線基地局装置１０１Ａは、当該無線端末装置２０２のハンドオーバを行なうべきであると判断すると、周辺セル情報を参照してたとえば無線基地局装置１０１Ｂをハンドオーバ先として決定する（ステップＳ６５６）。
【０３６４】
次に、無線基地局装置１０１Ａは、無線基地局装置１０１Ｂを示すハンドオーバ要求を、上位装置へ送信する（ステップＳ６５８）。
【０３６５】
次に、上位装置は、無線基地局装置１０１Ａからハンドオーバ要求を受信して、無線基地局装置１０１Ｂへ当該ハンドオーバ要求を送信する（ステップＳ６６０）。
【０３６６】
次に、無線基地局装置１０１Ｂは、上位装置からハンドオーバ要求を受信すると、ハンドオーバ動作のタイミングの変更が必要であるかどうかを判断する（ステップＳ６６２）。
【０３６７】
すなわち、無線基地局装置１０１Ｂは、たとえば無線基地局装置１０１Ａが形成するセルから自己が形成するセルへの無線端末装置２０２のハンドオーバにおいて、“Ｔｏｏ  Ｅａｒｌｙ  ＨＯ”の発生回数が多いことを検知している場合、当該ハンドオーバ動作のタイミングを遅らせるべきと判断する。
【０３６８】
また、無線基地局装置１０１Ｂは、たとえば無線基地局装置１０１Ａが形成するセルから自己が形成するセルへの無線端末装置２０２のハンドオーバにおいて、“Ｔｏｏ  Ｌａｔｅ  ＨＯ”の発生回数が多いことを検知している場合、当該ハンドオーバ動作のタイミングを早めるべきと判断する。
【０３６９】
次に、無線基地局装置１０１Ｂは、ステップＳ６６２においてハンドオーバ動作のタイミングを遅らせるべきと判断すると、ハンドオーバ応答を上位装置へ送信するタイミングを遅らせる（ステップＳ６６４）。
【０３７０】
また、無線基地局装置１０１Ｂは、ステップＳ６６２においてハンドオーバ動作のタイミングを早めるべきと判断すると、ハンドオーバ応答を上位装置へ送信するタイミングを早める。
【０３７１】
次に、上位装置は、無線基地局装置１０１Ｂからハンドオーバ応答を受信して、無線基地局装置１０１Ａへハンドオーバ指示を送信する（ステップＳ６６６）。
【０３７２】
次に、無線基地局装置１０１Ａは、上位装置からハンドオーバ指示を受信して、当該無線端末装置２０２のハンドオーバを決定し（ステップＳ６６８）、無線端末装置２０２へＲＲＣコネクション再構成指示を送信する（ステップＳ６９０）。
【０３７３】
以上の動作により、ターゲット基地局である無線基地局装置１０１Ｂは、サービング基地局である無線基地局装置１０１Ａからのハンドオーバ要求に対する応答であるハンドオーバ応答の送信タイミングを制御することにより、無線端末装置２０２におけるハンドオーバのタイミングを調整することができる。
【０３７４】
たとえば無線基地局装置１０１Ｂが、図１６に示すステップＳ６６４においてハンドオーバ応答を上位装置へ送信するタイミングを遅らせると、上位装置から無線基地局装置１０１Ａへ送信するハンドオーバ指示の送信（図１６に示すステップＳ６６６）以降の処理を遅くすることができる。これにより、無線基地局装置１０１Ｂは、無線基地局装置１０１Ａが形成するセルから自己が形成するセルへの無線端末装置２０２のハンドオーバのタイミングを遅らせることができる。
【０３７５】
従って、無線基地局装置１０１Ｂは、無線基地局装置１０１Ａが形成するセルから自己が形成するセルへの“Ｔｏｏ  Ｅａｒｌｙ  ＨＯ”が発生している場合、上位装置へハンドオーバ応答を送信するタイミングを遅らせることにより、“Ｔｏｏ  Ｅａｒｌｙ  ＨＯ”の発生を抑えることができる。
【０３７６】
また、たとえば無線基地局装置１０１Ｂが、図１６に示すステップＳ６６４においてハンドオーバ応答を上位装置へ送信するタイミングを早めると、上位装置から無線基地局装置１０１Ａへ送信するハンドオーバ指示の送信（図１６に示すステップＳ６６６）以降の処理を早くすることができる。これにより、無線基地局装置１０１Ｂは、無線基地局装置１０１Ａが形成するセルから自己が形成するセルへの無線端末装置２０２のハンドオーバのタイミングを早くすることができる。
【０３７７】
従って、無線基地局装置１０１Ｂは、無線基地局装置１０１Ａが形成するセルから自己が形成するセルへの“Ｔｏｏ  Ｌａｔｅ  ＨＯ”が発生している場合、上位装置へハンドオーバ応答を送信するタイミングを早めることにより、“Ｔｏｏ  Ｌａｔｅ  ＨＯ”の発生を抑えることができる。
【０３７８】
図１７は、本発明の実施の形態に係る無線端末装置が無線基地局装置間を移動する際に測定する無線信号の受信電力差および受信品質の変化を示す図である。
【０３７９】
図１７を参照して、縦軸は、無線端末装置２０２における、無線基地局装置１０１Ａにより送信される無線信号および無線基地局装置１０１Ｂにより送信される無線信号の受信電力の差を表す。また、縦軸は、無線端末装置２０２における、無線基地局装置１０１Ａにより送信される無線信号のＳＩＲまたはＳＩＮＲで表される受信品質をとってもよい。
【０３８０】
横軸は、無線端末装置２０２が無線基地局装置１０１Ａから無線基地局装置１０１Ｂまで移動する際の、無線基地局装置１０１Ａを基点とした無線端末装置２０２の位置を表す。
【０３８１】
たとえば、無線端末装置２０２は、無線基地局装置１０１Ａから無線基地局装置１０１Ｂまで移動する際に、位置Ａから位置Ｍにおいて無線基地局装置１０１Ａおよび無線基地局装置１０１Ｂを含む他の無線基地局装置から送信される無線信号の受信電力を測定し、測定した受信電力の測定結果を含む測定結果通知を無線基地局装置１０１Ａへ送信する。
【０３８２】
無線基地局装置１０１Ａは、無線端末装置２０２から受信した測定結果通知を基に、無線端末装置２０２における、自己が送信する無線信号の受信電力と無線基地局装置１０１Ｂが送信する無線信号の受信電力との差または自己が送信する無線信号の受信品質を求める。
【０３８３】
求められた受信電力差または受信品質は、無線端末装置２０２が無線基地局装置１０１Ａに最も近い位置Ａにおいては最も大きく、無線基地局装置１０１Ａから離れて無線基地局装置１０１Ｂに近づくと小さくなる。また、受信電力差または受信品質は、無線端末装置２０２が無線基地局装置１０１Ａから最も離れた位置Ｍにおいて、無線基地局装置１０１Ｂからの無線信号による干渉のため無線通信を行えない程度、すなわちＲＬＦが発生する程度に悪い。
【０３８４】
したがって、無線基地局装置１０１Ａは、位置Ａから位置Ｍの間において、無線端末装置２０２を自己から無線基地局装置１０１Ｂへハンドオーバさせる必要がある。
【０３８５】
たとえば、無線基地局装置１０１Ａが、無線端末装置２０２を自己から無線基地局装置１０１Ｂへ良好にハンドオーバさせることができると判断する基準となるしきい値をしきい値ＴｈＨＯＵとする。
【０３８６】
この際、無線基地局装置１０１Ａは、受信電力差または受信品質がしきい値ＴｈＨＯＵを下回る位置Ｇにおいて無線端末装置２０２のハンドオーバを行なうべきであると判断する。
【０３８７】
一方、たとえば無線基地局装置１０１Ｂは、無線基地局装置１０１Ａが形成するセルＣＡから自己が形成するセルＣＢへの“Ｔｏｏ  Ｅａｒｌｙ  ＨＯ”の発生回数が多いことを検知している場合、無線端末装置２０２を無線基地局装置１０１Ａから自己へ良好にハンドオーバさせることができると判断する基準となるしきい値を、しきい値ＴｈＨＯＵより低いしきい値ＴｈＨＯと設定する。
【０３８８】
この際、無線基地局装置１０１Ｂは、受信電力差または受信品質がしきい値ＴｈＨＯを下回る位置Ｉにおいて無線端末装置２０２のハンドオーバを行なうべきであると判断する。
【０３８９】
すなわち、無線基地局装置１０１Ｂは、無線基地局装置１０１Ａが行うハンドオーバ動作のタイミングが早いと判断する場合に、良好にハンドオーバさせることができると判断する基準となるしきい値を小さくすることにより、ハンドオーバのタイミングを遅らせることができる。
【０３９０】
以下に、無線基地局装置１０１Ｂが、しきい値に基づいてハンドオーバを行うべきか否かを判断し、当該判断に基づいて無線基地局装置１０１Ａから受信するハンドオーバ要求に対する応答であるハンドオーバ応答の送信を制御することにより、ハンドオーバ動作のタイミングを制御する一例を示す。
【０３９１】
図１８は、本発明の実施の形態に係る無線基地局装置がハンドオーバ動作のタイミング制御を行う際の動作手順のシーケンスの一例を示す図である。
【０３９２】
無線端末装置２０２は、位置Ｇから位置Ｉへ向けて移動中に各無線基地局装置から送信される無線信号の受信電力または受信品質を測定し、測定結果を無線基地局装置１０１Ａへ送信する。
【０３９３】
なお、無線端末装置２０２は、各無線基地局装置から送信される無線信号の受信電力を測定し、無線基地局装置１０１Ａから送信される無線信号の受信電力との差から受信電力差を求め、受信電力差を無線基地局装置１０１Ａへ送信してもよい。
【０３９４】
図１８を参照して、まず、無線端末装置２０２は、位置Ｇにおいて無線基地局装置１０１Ａおよび無線基地局装置１０１Ｂを含む各無線基地局装置から送信される無線信号の受信電力を測定する（ステップＳ７５２）。
【０３９５】
次に、無線端末装置２０２は、測定した受信電力の測定結果を示す測定結果通知を無線基地局装置１０１Ａへ送信する（ステップＳ７５４）。
【０３９６】
次に、無線基地局装置１０１Ａは、無線端末装置２０２から受信した測定結果通知を基に、無線端末装置２０２における、自己が送信する無線信号の受信電力と無線基地局装置１０１Ｂが送信する無線信号の受信電力との差または自己が送信する無線信号の受信品質を求める。無線基地局装置１０１Ａは、求めた受信電力差または受信品質に基づいて、当該無線端末装置２０２のハンドオーバを行なうべきか否かを判断する。無線基地局装置１０１Ａは、受信電力差または受信品質がしきい値ＴｈＨＯＵを下回ったので、当該無線端末装置２０２のハンドオーバを行なうべきであると判断すると、周辺セル情報を参照してたとえば無線基地局装置１０１Ｂをハンドオーバ先として決定する（ステップＳ７５６）。
【０３９７】
次に、無線基地局装置１０１Ａは、無線基地局装置１０１Ｂを示すハンドオーバ要求を、上位装置へ送信する（ステップＳ７５８）。この際、無線基地局装置１０１Ａは、当該ハンドオーバ要求に測定結果通知の内容を含めて送信する。
【０３９８】
次に、上位装置は、無線基地局装置１０１Ａからハンドオーバ要求を受信して、無線基地局装置１０１Ｂへ当該ハンドオーバ要求を送信する（ステップＳ７６０）。
【０３９９】
次に、無線基地局装置１０１Ｂは、上位装置からハンドオーバ要求を受信する。次に、無線基地局装置１０１Ｂは、ハンドオーバ要求に含まれる測定結果通知を基に、無線端末装置２０２における、無線基地局装置１０１Ａが送信する無線信号の受信電力と自己が送信する無線信号の受信電力との差または無線基地局装置１０１Ａが送信する無線信号の受信品質を求める。無線基地局装置１０１Ｂは、求めた受信電力差または受信品質に基づいて、ハンドオーバ動作のタイミングが適切であるかどうか判断する。無線基地局装置１０１Ｂは、受信電力差または受信品質がしきい値ＴｈＨＯを下回らないので、当該ハンドオーバ要求に対して不許可と判断する（ステップＳ７６２）。
【０４００】
この際、無線基地局装置１０１Ｂは、上位装置を経由して無線基地局装置１０１Ａへ当該ハンドオーバ要求に対する不許可を通知する。従って、当該ハンドオーバ動作はこれ以上行われない。
【０４０１】
また、無線端末装置２０２は、位置Ｈにおいて無線基地局装置１０１Ａおよび無線基地局装置１０１Ｂを含む各無線基地局装置から送信される無線信号の受信電力を測定する（ステップＳ７６４）。
【０４０２】
次に、無線端末装置２０２は、測定した受信電力の測定結果を示す測定結果通知を無線基地局装置１０１Ａへ送信する（ステップＳ７６６）。
【０４０３】
次に、無線基地局装置１０１Ａは、無線端末装置２０２から受信した測定結果通知を基に、無線端末装置２０２における、自己が送信する無線信号の受信電力と無線基地局装置１０１Ｂが送信する無線信号の受信電力との差または自己が送信する無線信号の受信品質を求める。無線基地局装置１０１Ａは、求めた受信電力差または受信品質に基づいて、当該無線端末装置２０２のハンドオーバを行なうべきか否かを判断する。無線基地局装置１０１Ａは、受信電力差または受信品質がしきい値ＴｈＨＯＵを下回っているので、当該無線端末装置２０２のハンドオーバを行なうべきであると判断すると、周辺セル情報を参照してたとえば無線基地局装置１０１Ｂをハンドオーバ先として決定する（ステップＳ７６８）。
【０４０４】
次に、無線基地局装置１０１Ａは、無線基地局装置１０１Ｂを示すハンドオーバ要求を、上位装置へ送信する（ステップＳ７７０）。この際、無線基地局装置１０１Ａは、当該ハンドオーバ要求に測定結果通知の内容を含めて送信する。
【０４０５】
次に、上位装置は、無線基地局装置１０１Ａからハンドオーバ要求を受信して、無線基地局装置１０１Ｂへ当該ハンドオーバ要求を送信する（ステップＳ７７２）。
【０４０６】
次に、無線基地局装置１０１Ｂは、上位装置からハンドオーバ要求を受信する。次に、無線基地局装置１０１Ｂは、ハンドオーバ要求に含まれる測定結果通知を基に、無線端末装置２０２における、無線基地局装置１０１Ａが送信する無線信号の受信電力と自己が送信する無線信号の受信電力との差または無線基地局装置１０１Ａが送信する無線信号の受信品質を求める。無線基地局装置１０１Ｂは、求めた受信電力差または受信品質に基づいて、ハンドオーバ動作のタイミングが適切であるかどうか判断する。無線基地局装置１０１Ｂは、受信電力差または受信品質がしきい値ＴｈＨＯを下回らないので、当該ハンドオーバ要求に対して不許可と判断する（ステップＳ７７４）。
【０４０７】
この際、無線基地局装置１０１Ｂは、上位装置を経由して無線基地局装置１０１Ａへ当該ハンドオーバ要求に対する不許可を通知する。従って、当該ハンドオーバ動作はこれ以上行われない。
【０４０８】
また、無線端末装置２０２は、位置Ｉにおいて無線基地局装置１０１Ａおよび無線基地局装置１０１Ｂを含む各無線基地局装置から送信される無線信号の受信電力を測定する（ステップＳ７７６）。
【０４０９】
次に、無線端末装置２０２は、測定した受信電力の測定結果を示す測定結果通知を無線基地局装置１０１Ａへ送信する（ステップＳ７７８）。
【０４１０】
次に、無線基地局装置１０１Ａは、無線端末装置２０２から受信した測定結果通知を基に、無線端末装置２０２における、自己が送信する無線信号の受信電力と無線基地局装置１０１Ｂが送信する無線信号の受信電力との差または自己が送信する無線信号の受信品質を求める。無線基地局装置１０１Ａは、求めた受信電力差または受信品質に基づいて、当該無線端末装置２０２のハンドオーバを行なうべきか否かを判断する。無線基地局装置１０１Ａは、受信電力差または受信品質がしきい値ＴｈＨＯＵを下回っているので、当該無線端末装置２０２のハンドオーバを行なうべきであると判断すると、周辺セル情報を参照してたとえば無線基地局装置１０１Ｂをハンドオーバ先として決定する（ステップＳ７８０）。
【０４１１】
次に、無線基地局装置１０１Ａは、無線基地局装置１０１Ｂを示すハンドオーバ要求を、上位装置へ送信する（ステップＳ７８２）。この際、無線基地局装置１０１Ａは、当該ハンドオーバ要求に測定結果通知の内容を含めて送信する。
【０４１２】
次に、上位装置は、無線基地局装置１０１Ａからハンドオーバ要求を受信して、無線基地局装置１０１Ｂへ当該ハンドオーバ要求を送信する（ステップＳ７８４）。
【０４１３】
次に、無線基地局装置１０１Ｂは、上位装置からハンドオーバ要求を受信する。次に、無線基地局装置１０１Ｂは、ハンドオーバ要求に含まれる測定結果通知を基に、無線端末装置２０２における、無線基地局装置１０１Ａが送信する無線信号の受信電力と自己が送信する無線信号の受信電力との差または無線基地局装置１０１Ａが送信する無線信号の受信品質を求める。無線基地局装置１０１Ｂは、求めた受信電力差または受信品質に基づいて、ハンドオーバ動作のタイミングが適切であるかどうか判断する。無線基地局装置１０１Ｂは、受信電力差または受信品質がしきい値ＴｈＨＯを下回ったので、当該ハンドオーバ要求に対して許可と判断する（ステップＳ７８６）。
【０４１４】
次に、無線基地局装置１０１Ｂは、上位装置へ当該ハンドオーバ要求に対するハンドオーバ応答を送信する（ステップＳ７８８）。
【０４１５】
次に、上位装置は、無線基地局装置１０１Ｂからハンドオーバ応答を受信して、無線基地局装置１０１Ａへハンドオーバ指示を送信する（ステップＳ７９０）。
【０４１６】
次に、無線基地局装置１０１Ａは、上位装置からハンドオーバ指示を受信して、無線端末装置２０２を自己から無線基地局装置１０１Ｂへハンドオーバさせることを決定する（ステップＳ７９２）。
【０４１７】
次に、無線基地局装置１０１Ａは、当該決定に基づいて無線端末装置２０２へＲＲＣコネクション再構成指示を送信する（ステップＳ７９４）。
【０４１８】
また、再度図１７を参照して、たとえば無線基地局装置１０１Ｂが、しきい値ＴｈＨＯより小さいしきい値ＴｈＨＯＬに基づいて、無線端末装置２０２の通信先を自己へ変更させる判断を行うとする。
【０４１９】
この際、無線基地局装置１０１Ｂは、無線端末装置２０２が位置Ｉを過ぎた位置Ｋにおいて測定した受信電力の測定結果を含むハンドオーバ要求を受信した後、ハンドオーバ応答を上位装置へ送信する。
【０４２０】
このような設定をした場合、無線端末装置２０２の無線基地局装置１０１Ａから無線基地局装置１０１Ｂへのハンドオーバ動作のタイミングが遅れてしまうので、“Ｔｏｏ  Ｌａｔｅ  ＨＯ”の発生回数が多くなってしまったとする。
【０４２１】
無線基地局装置１０１Ｂは、無線基地局装置１０１Ａが形成するセルＣＡから自己が形成するセルＣＢへの“Ｔｏｏ  Ｌａｔｅ  ＨＯ”の発生回数が多いことを検知している場合、以下の動作を行う。すなわち、無線基地局装置１０１Ｂは、無線端末装置２０２を無線基地局装置１０１Ａから自己へ良好にハンドオーバさせることができると判断する基準となるしきい値を、たとえばしきい値ＴｈＨＯＬより大きいしきい値ＴｈＨＯに設定する。
【０４２２】
これにより、無線基地局装置１０１Ｂは、位置Ｉおいて測定した受信電力の測定結果を含むハンドオーバ要求を受信した後、ハンドオーバ応答を上位装置へ送信する（図１８に示すステップＳ７８８）。
【０４２３】
すなわち、無線基地局装置１０１Ｂは、自己の判断基準ではハンドオーバ動作のタイミングが遅くなってしまう場合に、良好にハンドオーバさせることができると判断する基準となるしきい値を大きくすることにより、ハンドオーバのタイミングを早めることができる。
【０４２４】
以上の動作により、ターゲット基地局である無線基地局装置１０１Ｂは、良好にハンドオーバさせることができると判断する基準となるしきい値を所定の値に設定することにより、無線端末装置２０２におけるハンドオーバのタイミングを調整することができる。
【０４２５】
たとえば無線基地局装置１０１Ｂが、無線基地局装置１０１Ａが形成するセルＣＡから自己が形成するセルＣＢへの無線端末装置２０２の“Ｔｏｏ  Ｅａｒｌｙ  ＨＯ”の発生回数が多いことを検知している場合、しきい値を小さく設定する。
【０４２６】
これにより、無線基地局装置１０１Ｂは、無線基地局装置１０１Ａによるハンドオーバ許可の判断より遅れたタイミングでハンドオーバ許可の判断を行う。この結果、無線基地局装置１０１Ｂは、より遅いタイミングでハンドオーバ応答を上位装置へ送信するので、無線基地局装置１０１Ａが形成するセルＣＡから自己が形成するセルＣＢへの無線端末装置２０２のハンドオーバのタイミングを遅らせることができる。
【０４２７】
従って、無線基地局装置１０１Ｂは、無線基地局装置１０１Ａが形成するセルＣＡから自己が形成するセルＣＢへの“Ｔｏｏ  Ｅａｒｌｙ  ＨＯ”の発生回数が多いことを検知している場合、しきい値を小さく設定することにより、“Ｔｏｏ  Ｅａｒｌｙ  ＨＯ”の発生を抑えることができる。
【０４２８】
また、たとえば無線基地局装置１０１Ｂが、無線基地局装置１０１Ａが形成するセルＣＡから自己が形成するセルＣＢへの無線端末装置２０２の“Ｔｏｏ  Ｌａｔｅ  ＨＯ”の発生回数が多いことを検知している場合、しきい値を大きく設定する。
【０４２９】
これにより、無線基地局装置１０１Ｂは、しきい値を大きく設定する前の自己によるハンドオーバ許可の判断より早いタイミングでハンドオーバ許可の判断を行う。この結果、無線基地局装置１０１Ｂは、より早いタイミングでハンドオーバ応答を上位装置へ送信するので、無線基地局装置１０１Ａが形成するセルＣＡから自己が形成するセルＣＢへの無線端末装置２０２のハンドオーバのタイミングを早めることができる。
【０４３０】
従って、無線基地局装置１０１Ｂは、無線基地局装置１０１Ａが形成するセルＣＡから自己が形成するセルＣＢへの“Ｔｏｏ  Ｌａｔｅ  ＨＯ”の発生回数が多いことを検知している場合、しきい値を大きく設定することにより、“Ｔｏｏ  Ｌａｔｅ  ＨＯ”の発生を抑えることができる。
【０４３１】
図１９は、本発明の実施の形態に係るターゲット基地局が送信電力を調整することにより不適切なハンドオーバ動作を防ぐ状況の一例を示す図である。
【０４３２】
図１９を参照して、無線端末装置２０２は、無線基地局装置１０１Ａが形成するセルＣＡから無線基地局装置１０１Ｂが形成するセルＣＢへ向けて移動中であり、セルＣＡおよびセルＣＢが重なる領域において、適切なハンドオーバ動作を行うことができるとする。
【０４３３】
すなわち、無線基地局装置１０１Ａは、位置Ｑにおける無線端末装置２０２を無線基地局装置１０１Ｂへハンドオーバさせることにより、不適切なハンドオーバ動作を防ぐことができる。
【０４３４】
無線基地局装置１０１Ａは、たとえば、位置Ｐにおける無線端末装置２０２を無線基地局装置１０１Ｂへ適切にハンドオーバさせることができると判断する。この際、無線端末装置２０２はセルＣＡの圏内に位置するが、セルＣＢの圏内には位置しないので、ハンドオーバ動作を開始すると不適切なハンドオーバ動作、この場合は“Ｔｏｏ  Ｅａｒｌｙ  ＨＯ”が発生してしまう。
【０４３５】
無線基地局装置１０１Ｂは、たとえば“Ｔｏｏ  Ｅａｒｌｙ  ＨＯ”の発生回数が多いことを検知している場合、送信する無線信号の電力を上げることにより、セルＣＢより大きいセルＣＢＬを形成する。
【０４３６】
すなわち、無線基地局装置１０１Ａにより送信される無線信号の位置Ｐにおける干渉が相対的に弱くなるので、セルＣＡの圏内かつセルＣＢＬの圏内である位置Ｐにおいて、無線端末装置２０２の無線基地局装置１０１Ａから無線基地局装置１０１Ｂへの適切なハンドオーバが行われる。
【０４３７】
これにより、無線基地局装置１０１Ｂは、“Ｔｏｏ  Ｅａｒｌｙ  ＨＯ”の発生を回避することができる。
【０４３８】
また、無線基地局装置１０１Ａは、たとえば、位置Ｒにおける無線端末装置２０２を無線基地局装置１０１Ｂへ適切にハンドオーバさせることができると判断する。この際、無線端末装置２０２はセルＣＡの圏内に位置するが、セルＣＡの端部であるので、ハンドオーバ動作を開始すると不適切なハンドオーバ動作、この場合は“Ｔｏｏ  Ｌａｔｅ  ＨＯ”が発生してしまう。
【０４３９】
無線基地局装置１０１Ｂは、たとえば“Ｔｏｏ  Ｌａｔｅ  ＨＯ”の発生回数が多いことを検知している場合、送信する無線信号の電力を下げることにより、セルＣＢより小さいセルＣＢＳを形成する。
【０４４０】
すなわち、無線基地局装置１０１Ｂにより送信される無線信号の位置Ｒにおける干渉が相対的に弱くなるので、セルＣＡの圏内かつセルＣＢＳの圏内である位置Ｒにおいて、無線端末装置２０２の無線基地局装置１０１Ａから無線基地局装置１０１Ｂへの適切なハンドオーバが行われる。
【０４４１】
これにより、無線基地局装置１０１Ｂは、“Ｔｏｏ  Ｌａｔｅ  ＨＯ”の発生を回避することができる。
【０４４２】
図２０は、本発明の実施の形態に係るターゲット基地局が送信する無線信号に含まれるフレームの一例を示す図である。図２０における（Ａ）、（Ｂ）および（Ｃ）は、たとえば１０個のサブフレームにより構成される１つのフレームを示す。
【０４４３】
無線基地局装置１０１は、送信する無線信号に関するリソースを制御することにより、当該無線信号の無線端末装置２０２における干渉を制御する。
【０４４４】
無線基地局装置１０１は、リソースにおける時間軸方向の自由度を制御する際には、無線信号に含める情報、無線信号の周波数および無線信号の電力のうちの少なくともいずれか１つが制限される期間、たとえばＡＢＳ（Almost Blank Sub-frame）を増減させることにより、自己が送信する無線信号の無線端末装置２０２における干渉を制御する。ＡＢＳを利用した時間領域での干渉の制御方法が、３ＧＰＰ  ＴＳ  ３６．４２３  ｖ．１０．２．０に記載されている。これは、ｅＩＣＩＣ（enhanced Inter-Cell Interference Coordination）と呼ばれる。
【０４４５】
具体的は、無線基地局装置１０１は、無線端末装置２０２へ送信する通信データを所定のフレームフォーマットに変換し、フレームを作成した上で無線信号により送信する。送信されるフレームには、たとえば情報が殆ど含まれていないＡＢＳが含まれる。無線基地局装置１０１は、自己が送信する無線信号の無線端末装置２０２における干渉を制御するために、ＡＢＳとするサブフレームの数を調整する。
【０４４６】
図２０を参照して、ターゲット基地局は、通常時において図２０における（Ｂ）で示されるフレームを無線信号により送信する。ターゲット基地局は、サービング基地局が形成するセルから自己が形成するセルへの“Ｔｏｏ  Ｅａｒｌｙ  ＨＯ”の発生回数が多いことを検知している場合、図２０（Ａ）に示すような、ＡＢＳを減らしたフレームを送信する。
【０４４７】
“Ｔｏｏ  Ｅａｒｌｙ  ＨＯ”が発生する原因は、無線端末装置２０２においてサービング基地局の送信する無線信号がターゲット基地局の送信する無線信号の干渉となることである。従って、ターゲット基地局は、自己が送信するフレームにおけるＡＢＳの数を減らすことにより、サービング基地局が送信する無線信号の無線端末装置２０２における干渉を相対的に弱めることができる。
【０４４８】
また、ターゲット基地局は、ＡＢＳを減らすことにより、ＨＲＱ（Hybrid Repeat reQuest）による再送が成功しやすくなる。これにより、無線端末装置２０２は、ターゲット基地局からの無線信号の受信時に生ずるエラーを減らすことができる。これらにより、“Ｔｏｏ  Ｅａｒｌｙ  ＨＯ”の発生を抑えることができる。
【０４４９】
また、たとえば、ターゲット基地局は、サービング基地局が形成するセルから自己が形成するセルへの“Ｔｏｏ  Ｌａｔｅ  ＨＯ”の発生回数が多いことを検知している場合、図２０（Ｃ）に示したＡＢＳを増やしたフレームを送信する。
【０４５０】
“Ｔｏｏ  Ｌａｔｅ  ＨＯ”が発生する原因は、無線端末装置２０２においてターゲット基地局の送信する無線信号がサービング基地局の送信する無線信号の干渉となることである。従って、ターゲット基地局は、自己が送信するフレームにおけるＡＢＳの数を増やすことにより、自己が送信する無線信号の無線端末装置２０２における干渉を相対的に弱めることができる。これにより、“Ｔｏｏ  Ｌａｔｅ  ＨＯ”の発生を抑えることができる。
【０４５１】
また、無線基地局装置１０１は、リソースにおける周波数軸方向の自由度を制御することにより、自己が送信する無線信号の無線端末装置２０２における干渉を制御する。
【０４５２】
具体的には、ターゲット基地局は、ＯＦＤＭＡ方式で無線端末装置２０２に無線信号を送信する場合、無線信号の送信に関するリソースを時間軸方向と周波数軸方向に分割し、無線信号を利用するユーザのニーズに応じて分割したリソースの割り当てを行うことにより、リソースの有効利用を行う。
【０４５３】
ターゲット基地局は、たとえば個々のユーザに割り当てられる１８０ｋＨｚの帯域幅のリソースブロック単位で、情報が殆ど含まれていないブランクリソースブロック（Blank Resource Block）の量を調整するＩＣＩＣ（Inter-Cell Interference Coordination）を行うことにより、自己が送信する無線信号の無線端末装置２０２における干渉を制御する。
【０４５４】
ターゲット基地局は、“Ｔｏｏ  Ｅａｒｌｙ  ＨＯ”の発生回数が多いことを検知している場合、ブランクリソースブロックを減らすことにより、サービング基地局が送信する無線信号の無線端末装置２０２における干渉を相対的に弱めることができる。
【０４５５】
また、ターゲット基地局は、“Ｔｏｏ  Ｌａｔｅ  ＨＯ”の発生回数が多いことを検知している場合、ブランクリソースブロックを増やすことにより、自己が送信する無線信号の無線端末装置２０２における干渉を相対的に弱めることができる。
【０４５６】
また、ターゲット基地局は、リソースブロックを束ねた帯域幅数十ＭＨｚのキャリア単位で、情報が殆ど含まれていないブランクキャリアの量を調整するＣＡ  ｂａｓｅｄ  ＩＣＩＣ（Carrier Aggregation based ICIC）を行うことにより、自己が送信する無線信号の無線端末装置２０２における干渉を制御してもよい。
【０４５７】
また、無線基地局装置１０１は、無線信号の送信方向の自由度を制御することにより、自己が送信する無線信号の無線端末装置２０２における干渉を制御する。
【０４５８】
具体的には、ターゲット基地局は、無線信号を送信するアンテナ９１の指向性を制御することにより、自己が送信する無線信号の無線端末装置２０２における干渉を制御する。たとえば、ターゲット基地局は、“Ｔｏｏ  Ｅａｒｌｙ  ＨＯ”の発生回数が多いことを検知している場合、自己が送信する無線信号のビーム強度がサービング基地局方向へ強くなるようにアンテナ９１の指向性を制御する。
【０４５９】
これにより、ターゲット基地局は、“Ｔｏｏ  Ｅａｒｌｙ  ＨＯ”の発生回数が多い領域に位置する無線端末装置２０２において、サービング基地局が送信する無線信号による干渉を相対的に弱めることができる。
【０４６０】
また、ターゲット基地局は、たとえば“Ｔｏｏ  Ｌａｔｅ  ＨＯ”の発生回数が多いことを検知している場合、自己が送信する無線信号のビーム強度がサービング基地局方向へ弱くなるようにアンテナ９１の指向性を制御する。
【０４６１】
これにより、ターゲット基地局は、“Ｔｏｏ  Ｌａｔｅ  ＨＯ”の発生回数が多い領域に位置する無線端末装置２０２において、自己が送信する無線信号による干渉を相対的に弱めることができる。
【０４６２】
ところで、非特許文献１に記載されるような不適切なハンドオーバ動作が行なわれると、通信システムにおいて、通信断および通信トラフィックの増大等、種々の問題が生じる。
【０４６３】
これに対して、本発明の実施の形態に係る無線基地局装置では、移動動作検知部１４は、無線端末装置２０２による他の無線基地局装置から自己の無線基地局装置へのハンドオーバ動作において、所定のハンドオーバ動作を検知する。また、回避処理部１６は、移動動作検知部１４によって所定のハンドオーバ動作が検知された場合には、所定のハンドオーバ動作の発生が抑制されるように、自己の無線基地局装置の動作を調整する。
【０４６４】
このように、ターゲット基地局において“Ｔｏｏ  Ｅａｒｌｙ  ＨＯ”または“Ｔｏｏ  Ｌａｔｅ  ＨＯ”等の不適切なハンドオーバ動作の検知および回避処理を実行することができるため、他の無線基地局装置に対してハンドオーバ動作のタイミング制御に用いるパラメータを調整させることができない場合においても、不適切なハンドオーバ動作の発生を抑制し、良好な通信システムを構築することができる。
【０４６５】
したがって、本発明の実施の形態に係る無線基地局装置では、無線端末装置のハンドオーバ動作を適切に制御することにより、通信の安定化を図ることができる。
【０４６６】
また、本発明の実施の形態に係る無線基地局装置では、回避処理部１６は、自己の無線基地局装置の動作を調整することにより、他の無線基地局装置から自己の無線基地局装置へのハンドオーバ動作のタイミングを調整する。
【０４６７】
このように、ターゲット基地局である自己の無線基地局装置の動作を調整することにより、ハンドオーバ動作のタイミングを調整し、不適切なハンドオーバ動作の発生を抑制することができる。
【０４６８】
また、本発明の実施の形態に係る無線基地局装置では、回避処理部１６は、無線端末装置２０２による他の無線基地局装置から自己の無線基地局装置へのハンドオーバ動作を許可する旨を含むハンドオーバ応答を他の無線基地局装置に送信するタイミングを調整する。
【０４６９】
このように、他の無線基地局装置へ通知するハンドオーバ応答を送信するタイミングを調整することにより、他の無線基地局装置から自己の無線基地局装置へのハンドオーバ動作のタイミングを調整することができる。
【０４７０】
また、本発明の実施の形態に係る無線基地局装置では、移動動作検知部１４は、無線端末装置２０２による他の無線基地局装置から自己の無線基地局装置への、“Ｔｏｏ  Ｅａｒｌｙ  ＨＯ”、および“Ｔｏｏ  Ｌａｔｅ  ＨＯ”を検知する。回避処理部１６は、“Ｔｏｏ  Ｅａｒｌｙ  ＨＯ”が検知された場合にはハンドオーバ応答の送信タイミングを遅くし、“Ｔｏｏ  Ｌａｔｅ  ＨＯ”が検知された場合にはハンドオーバ応答の送信タイミングを早くする。
【０４７１】
このように、他の無線基地局装置へ通知するハンドオーバ応答を送信するタイミングを適応的に調整することにより、他の無線基地局装置から自己の無線基地局装置へのハンドオーバ動作のタイミングを適切に調整することができる。
【０４７２】
また、本発明の実施の形態に係る無線基地局装置では、回避処理部１６は、無線端末装置２０２による他の無線基地局装置から自己の無線基地局装置へのハンドオーバ動作を許可する条件を調整する。
【０４７３】
このような構成により、無線端末装置２０２による他の無線基地局装置から自己の無線基地局装置へのハンドオーバ動作を許可する条件を調整することで、不適切なハンドオーバ動作の発生を抑制することができる。
【０４７４】
また、本発明の実施の形態に係る無線基地局装置では、受信電力情報取得部１５は、無線端末装置２０２における各無線基地局装置からの無線信号の受信電力の測定結果を示す測定結果通知を受信する。また、回避処理部１６は、受信した測定結果通知において他の無線基地局装置からの無線信号の受信電力および自己の無線基地局装置からの無線信号の受信電力に基づいて条件を調整する。
【０４７５】
このような構成により、無線端末装置２０２における受信電力に基づいて、無線端末装置２０２による他の無線基地局装置から自己の無線基地局装置へのハンドオーバ動作を許可する条件を適切に調整することができる。
【０４７６】
また、本発明の実施の形態に係る無線基地局装置では、移動動作検知部１４は、無線端末装置２０２による他の無線基地局装置から自己の無線基地局装置への、“Ｔｏｏ  Ｅａｒｌｙ  ＨＯ”および“Ｔｏｏ  Ｌａｔｅ  ＨＯ”を検知する。また、回避処理部１６は、他の無線基地局装置からの無線信号の受信電力および自己の無線基地局装置からの無線信号の受信電力の差が所定のしきい値未満である場合、または他の無線基地局装置からの無線信号の受信電力および自己の無線基地局装置１０からの無線信号の受信電力に基づく他の無線基地局装置の受信品質が悪い場合に、無線端末装置２０２による他の無線基地局装置から自己の無線基地局装置へのハンドオーバ動作を許可し、“Ｔｏｏ  Ｅａｒｌｙ  ＨＯ”が検知された場合には上記しきい値を小さくし、“Ｔｏｏ  Ｌａｔｅ  ＨＯ”が検知された場合には上記しきい値を大きくする。
【０４７７】
このように、無線端末装置２０２における受信電力または受信品質に基づいた判断を行うためのしきい値を適応的に調整することにより、無線端末装置２０２による他の無線基地局装置から自己の無線基地局装置へのハンドオーバ動作を許可する条件をより適切に調整することができる。
【０４７８】
また、本発明の実施の形態に係る無線基地局装置では、回避処理部１６は、自己の無線基地局装置から無線端末装置２０２への無線信号の送信動作を調整する。
【０４７９】
このような構成により、自己の無線基地局装置から送信する無線信号の無線端末装置２０２における受信状態を調整することで、不適切なハンドオーバ動作の発生を抑制することができる。
【０４８０】
また、本発明の実施の形態に係る無線基地局装置では、回避処理部１６は、自己の無線基地局装置から無線端末装置２０２への無線信号の送信電力を調整する。
【０４８１】
このように、自己の無線基地局装置から送信する無線信号の送信電力を調整することにより、各無線基地局装置により送信される無線信号の無線端末装置２０２における受信電力の大小関係を適切に制御することができる。
【０４８２】
また、本発明の実施の形態に係る無線基地局装置では、移動動作検知部１４は、無線端末装置２０２による他の無線基地局装置から自己の無線基地局装置への、“Ｔｏｏ  Ｅａｒｌｙ  ＨＯ”および“Ｔｏｏ  Ｌａｔｅ  ＨＯ”を検知する。また、回避処理部１６は、“Ｔｏｏ  Ｅａｒｌｙ  ＨＯ”が検知された場合には送信電力を大きくし、“Ｔｏｏ  Ｌａｔｅ  ＨＯ”が検知された場合には送信電力を小さくする。
【０４８３】
このように、自己の無線基地局装置から送信する無線信号の送信電力を適応的に調整することにより、各無線基地局装置により送信される無線信号の無線端末装置２０２における受信状態を適切に設定することができる。
【０４８４】
また、本発明の実施の形態に係る無線基地局装置では、回避処理部１６は、自己の無線基地局装置から無線端末装置２０２への無線信号の送信に関するリソースを調整する。
【０４８５】
このように、自己の無線基地局装置から無線端末装置２０２への無線信号の送信に関するリソースを調整することにより、各無線基地局装置により送信される無線信号の無線端末装置２０２における受信電力の大小関係を適切に制御することができる。
【０４８６】
また、本発明の実施の形態に係る無線基地局装置では、移動動作検知部１４は、無線端末装置２０２による他の無線基地局装置から自己の無線基地局装置への、“Ｔｏｏ  Ｅａｒｌｙ  ＨＯ”および“Ｔｏｏ  Ｌａｔｅ  ＨＯ”を検知する。また、回避処理部１６は、“Ｔｏｏ  Ｅａｒｌｙ  ＨＯ”が検知された場合には、無線信号に含める所定情報、無線信号の周波数および無線信号の電力のうち、少なくともいずれか１つが制限される期間を減少させ、“Ｔｏｏ  Ｌａｔｅ  ＨＯ”が検知された場合には上記期間を増加させる。
【０４８７】
このように、自己の無線基地局装置より送信される無線信号に含める所定情報、無線信号の周波数および無線信号の電力のうち、少なくともいずれか１つが制限される期間を適応的に調整することにより、各無線基地局装置により送信される無線信号の無線端末装置２０２における受信状態を適切に設定することができる。
【０４８８】
また、本発明の実施の形態に係る無線基地局装置では、移動動作検知部１４は、無線端末装置２０２による他の無線基地局装置から自己の無線基地局装置への、“Ｔｏｏ  Ｅａｒｌｙ  ＨＯ”および“Ｔｏｏ  Ｌａｔｅ  ＨＯ”を検知する。また、リソースは、無線信号の送信に使用する周波数であり、回避処理部１６は、“Ｔｏｏ  Ｅａｒｌｙ  ＨＯ”が検知された場合には周波数の種類を減少させ、“Ｔｏｏ  Ｌａｔｅ  ＨＯ”が検知された場合には周波数の種類を増加させる。
【０４８９】
このように、自己の無線基地局装置より送信される無線信号に使用する周波数の種類を適応的に調整することにより、各無線基地局装置により送信される無線信号の無線端末装置２０２における受信状態を適切に設定することができる。
【０４９０】
また、本発明の実施の形態に係る無線基地局装置では、回避処理部１６は、自己の無線基地局装置から無線端末装置２０２へ無線信号を送信するためのアンテナの指向性を調整する。また、移動動作検知部１４は、無線端末装置２０２による他の無線基地局装置から自己の無線基地局装置への、“Ｔｏｏ  Ｅａｒｌｙ  ＨＯ”および“Ｔｏｏ  Ｌａｔｅ  ＨＯ”を検知する。回避処理部１６は、“Ｔｏｏ  Ｅａｒｌｙ  ＨＯ”が検知された場合には、アンテナの指向性を調整することにより他の無線基地局装置への方向の送信電波のビームの強度を大きくし、“Ｔｏｏ  Ｌａｔｅ  ＨＯ”が検知された場合には、アンテナの指向性を調整することにより他の無線基地局装置への方向の送信電波のビームの強度を小さくする。
【０４９１】
このように、自己の無線基地局装置より送信する無線信号の送信に使用するアンテナの指向性を適応的に調整することにより、各無線基地局装置により送信される無線信号の無線端末装置２０２における受信状態を適切に設定することができる。
【０４９２】
フェムト基地局は、たとえば図７および図８に示す“Ｔｏｏ  Ｅａｒｌｙ  ＨＯ  ｃａｓｅ  ２”において自己がターゲット基地局である場合に、自己にＲＬＦレポートが送信されないので不適切なハンドオーバを検知できないという問題がある。
【０４９３】
そこで、本発明の実施の形態に係る無線基地局装置では、受信品質情報取得部１３は、無線端末装置２０２における自己の無線基地局装置からの無線信号の受信品質である第１の受信品質を示す受信品質情報を取得する。また、移動動作検知部１４は、無線端末装置２０２による他の無線基地局装置から自己の無線基地局装置へのハンドオーバ動作が行われてから最初にまたは所定時間内に取得された上記受信品質情報の示す第１の受信品質が悪い場合には、無線端末装置２０２による他の無線基地局装置から自己の無線基地局装置への“Ｔｏｏ  Ｅａｒｌｙ  ＨＯ”が発生したと判断する。
【０４９４】
このような構成により、自己の無線基地局装置がターゲット基地局であり、かつＲＬＦレポートが無線端末装置２０２から自己の無線基地局装置へ送信されない場合においても、無線端末装置２０２の受信品質に基づいて、“Ｔｏｏ  Ｅａｒｌｙ  ＨＯ”の発生を適切に判断することができる。
【０４９５】
また、本発明の実施の形態に係る無線基地局装置では、受信品質情報取得部１３は、さらに、無線端末装置２０２における他の無線基地局装置からの無線信号の受信品質である第２の受信品質を示す受信品質情報を取得する。また、移動動作検知部１４は、無線端末装置２０２による他の無線基地局装置から自己の無線基地局装置へのハンドオーバ動作が行われてから最初にまたは所定時間内に取得された受信品質情報の示す第１の受信品質が悪く、かつ第２の受信品質が良い場合には、無線端末装置２０２による他の無線基地局装置から自己の無線基地局装置１への“Ｔｏｏ  Ｅａｒｌｙ  ＨＯ”が発生したと判断する。
【０４９６】
このような構成により、“Ｔｏｏ  Ｅａｒｌｙ  ＨＯ”が発生した要因が、サービング基地局による早すぎるハンドオーバ動作であるか、または無線端末装置２０２における通信環境が原因であるかどうかについて適切に判断することができる。これにより、無線端末装置の受信品質に基づいて、“Ｔｏｏ  Ｅａｒｌｙ  ＨＯ”の発生をより適切に判断することができる。
【０４９７】
また、本発明の実施の形態に係る無線基地局装置では、監視部１１は、無線端末装置２０２からの測定結果通知またはＣＱＩレポートの到着を予定し、測定結果通知またはＣＱＩレポートの到着を監視する。また、時間計測部１２は、無線端末装置２０２による他の無線基地局装置から自己の無線基地局装置へのハンドオーバ動作が行なわれてから、無線端末装置２０２からの測定結果通知またはＣＱＩレポートが監視部１１の予定に反して自己の無線基地局装置に到着しなくなるまでの時間を計測する。移動動作検知部１４は、時間計測部１２によって計測された時間が所定値未満の場合には、無線端末装置２０２による他の無線基地局装置から自己の無線基地局装置への“Ｔｏｏ  Ｅａｒｌｙ  ＨＯ”が発生したと判断する。
【０４９８】
このような構成により、自己の無線基地局装置がターゲット基地局であり、かつＲＬＦレポートが無線端末装置２０２から自己の無線基地局装置へ送信されない場合においても、無線端末装置２０２からの測定結果通知またはＣＱＩレポートが監視部１１の予定に反して自己の無線基地局装置に到着しなくなるまでの時間に基づいて、“Ｔｏｏ  Ｅａｒｌｙ  ＨＯ”の発生を適切に判断することができる。
【０４９９】
なお、本発明の実施の形態では、無線端末装置のハンドオーバ動作について具体的な説明を行なったが、無線基地局装置と通信中の無線端末装置が行なう基地局間移動（セル間移動）動作であるハンドオーバに限らず、アイドル状態の無線端末装置が行なう基地局間移動（セル間移動）動作についても、本発明は適用される。すなわち、本発明の実施の形態において、「ハンドオーバ」を「移動」に置き換えた構成および動作についても、本発明は適用される。
【０５００】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０５０１】
１１  監視部
１２  時間計測部
１３  受信品質情報取得部
１４  移動動作検知部
１５  受信電力情報取得部
１６  回避処理部
９１  アンテナ
９２  サーキュレータ
９３  無線受信部
９４  無線送信部
９５  信号処理部
９６  受信信号処理部
９７  送信信号処理部
９８  制御部
１０１Ａ，１０１Ｂ，１０１Ｃ，１０１Ｚ  無線基地局装置
【図１】
0005966337.tif 000002
【図２】
0005966337.tif 000003
【図３】
0005966337.tif 000004
【図４】
0005966337.tif 000005
【図５】
0005966337.tif 000006
【図６】
0005966337.tif 000007
【図７】
0005966337.tif 000008
【図８】
0005966337.tif 000009
【図９】
0005966337.tif 000010
【図１０】
0005966337.tif 000011
【図１１】
0005966337.tif 000012
【図１２】
0005966337.tif 000013
【図１３】
0005966337.tif 000014
【図１４】
0005966337.tif 000015
【図１５】
0005966337.tif 000016
【図１６】
0005966337.tif 000017
【図１７】
0005966337.tif 000018
【図１８】
0005966337.tif 000019
【図１９】
0005966337.tif 000020
【図２０】
0005966337.tif 000021